(57)【特許請求の範囲】
【請求項１】
（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）対話処理メニューを表示する表示装置６と、
（ｄ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｅ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作してインターネット接続のためにダイヤル発信を行い、無線で電話通信を行い、
表示手段７３は、電話およびテレビジョン受信機４ｆの各操作名１１７と、
各操作名１１７毎の数字１１８とが右および左に対応して隣接して配置されたチャンネル変更メニューを表示し、
前記操作名１１７毎の数字１１８は、前記置数キー１１３の数字に対応し、
表示手段７３と第１操作手段１１６との間には、第２操作手段１２１が配置され、
この第２操作手段１２１は、上シフトキー１２２と、その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各操作名１１７と、前記各操作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｆ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
スピーカ＆マイク１１に接続され、
テレビジョン受信機４ｆとの間で電気信号を、電力線を介して、送受信する電力線搬送手段３によって、接続され、
呼気スイッチ１からの前記可撓性ラインを介する出力によって、前記表示装置６３によって表示されたメニュー項目を選択および決定し、
アナログ電話回線１３からの電話の着信を検出し、
テレビジョン受信機４ｆの受信視聴中である場合、テレビジョン受信機４ｆの画面を第１操作画面に変え、
この第１操作画面は、最上位メニューに「電話に出る」を表示し、
呼気スイッチ１によって「電話に出る」を選択したとき、前記スピーカ＆マイク１１によって電話の応答通話を可能とし、かつ表示装置６および表示手段７３によって電話の切断のための「電話を切る」を表示し、
呼気スイッチ１の操作によって、および携帯電話装置７１ａの操作によって、電話の切断を行ったとき、および相手からの電話の切断を検出したとき、テレビジョン受信機４ｆの画面を、電話の着信検出前のチャンネルの表示に戻し、
呼気スイッチ１と携帯電話装置７１ａとのどちらの経路から、入力されても、呼気スイッチ１の出力と携帯電話装置７１ａの出力とを等価に扱ってテレビジョン受信機４ｆを動作させる環境制御装置管理ソフトウェア手段９８を有し、呼気スイッチ１の操作によって、および携帯電話装置７１ａの操作によって、テレビジョン受信機４ｆの電源をオンとし、テレビジョン受信機４ｆのチャンネルの選択を行い、テレビジョン受信機４ｆの電源のオフを行うことを特徴とする適応的操作支援装置。
【請求項２】
呼鈴を有し、インターホン通話が可能なテレビ・ドアホン・システム１６を含み、
環境制御装置２は、テレビ・ドアホン・システム１６に接続され、前記呼鈴の出力に応答し、テレビジョン受信機４ｆが受信視聴中である場合、テレビジョン受信機４ｆの画面を、第２操作画面に変え、
この第２操作画面は、「来客です」を表示し、呼気スイッチ１の操作によって、最上位メニューである「インターホンにつなぐ」が選択されると、前記スピーカ＆マイク１１によってインターホン通話を可能にすることを特徴とする請求項１記載の適応的操作支援装置。
【請求項３】
携帯電話装置７１ａと環境制御装置２とは、インタネットを介して通信可能であることを特徴とする請求項１または２記載の適応的操作支援装置。
【請求項４】
（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）対話処理メニューを表示する表示装置６と、
（ｄ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｅ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作して、インターネット接続のためにダイヤル発信を行って、無線で電話通信を行い、
表示手段７３は、
電話およびテレビジョン受信機４ｆなどの電子機器名または各電子機器の動作名である動作名１１７と、
各電子機器名または動作名１１７毎の数字１１８とが隣接して配置されたメニューを表示し、
前記電子機器名または動作名１１７毎の数字１１８は、前記置数キー１１３の数字に対応し、
表示手段７３と第１操作手段１１６との間には、第２操作手段１２１が配置され、
この第２操作手段１２１は、
上シフトキー１２２と、
その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各電子機器名または動作名１１７と、前記各電子機器名または動作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｆ）電力線を介してテレビジョン受信機４ｆに接続され、電気信号を送受信する電力線搬送手段３と、
（ｇ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
環境制御装置用スピーカと環境制御装置用マイクとから成るスピーカ＆マイク１１に接続され、
テレビジョン受信機４ｆとの間で電気信号を、電力線を介して、送受信する電力線搬送手段３によって、接続され、
対話処理モードとイベント処理モードとを実行し、
これらの対話処理モードとイベント処理モードとにそれぞれ対応するメニューを、携帯電話装置７１ａの前記表示手段７３に表示させ、
対応処理モードでは、前記メニューは、基本メニュー５３ａ，５４ａと、電話操作メニュー５５ａ，６３ａと、テレビ操作メニュー５７ａと、チャンネル変更メニュー６４ａとを含み、
前記基本メニュー５３ａ，５４ａは、電話およびテレビジョン受信機４ｆの電子機器名１１７を含み、
前記電話操作メニュー５５ａ，６３ａは、電話番号で電話をかける動作名１１７を含み、
前記テレビ操作メニュー５７ａは、テレビジョン受信機４ｆのチャンネル変更、音量アップ、音量ダウンおよび電源オフの動作名１１７を含み、
前記チャンネル変更メニュー６４ａは、テレビジョン放送のチャンネル名である動作名１１７を含み、
イベント処理モードでは、前記メニューは、電話着信イベント対応メニューと、電話中イベント対応メニューと、電話切断イベント対応メニューと、テレビ視聴中イベント対応メニューとを含み、
前記電話着信イベント対応メニューは、電話に出る、および電話を無視する動作名１１７を含み、
前記電話中イベント対応メニューは、電話を切断する動作名１１７を含み、
前記電話切断イベント対応メニューでは、電話が切断されたことを表示し、
前記テレビ視聴中イベント対応メニューは、テレビジョン受信機４ｆの電源をオフする動作名１１７を含み、
テレビジョン受信機４ｆとの間で電気信号を、電力線搬送手段３によって、電力線を介して送受信し、
携帯電話装置７１ａからの無線による出力がインターネット経由で与えられるＯＣＮ回線８８、または前記アナログ電話回線１３を介する出力信号に応答し、表示手段７３が表示している前記メニューの前記電子機器名または動作名１１７と、前記数字１１８との前記組合せの選択に従って、
前記基本メニューにおける電話が選択されたとき、電話操作メニュー５５ａ，６３ａを表示手段７３によって表示して入力された電話番号で電話をかける動作を行い、
基本メニューにおけるテレビジョン受信機４ｆが選択されたとき、前記テレビ操作メニュー５７ａを表示手段７３によって表示し、
そのテレビ操作メニュー５７ａのチャンネル変更の動作名１１７が選択されたとき、テレビジョン受信機４ｆを、その選択されたチャンネルに切替えて受信動作させ、
その後、再び、表示手段７３による前記チャンネル変更メニューの表示に戻し、
テレビ操作メニュー５７ａの音量アップ、音量ダウンまたは電源オフの動作名１１７が選択されたとき、テレビジョン受信機４ｆの音量の大小または電源のオフの各動作をそれぞれ行い、
アナログ電話回線１３からの電話の着信を検出し、
前記表示手段７３によって電話着信イベント対応メニューを表示し、
電話に出る動作名１１７が選択されたとき、前記スピーカ＆マイク１１によって電話の応答通話を可能とするとともに、表示手段７３によって電話中イベント対応メニューを表示し、
電話を切断する動作名１１７が選択されたとき、電話を切断するとともに、電話切断イベントメニューを表示し、
テレビジョン受信機４ｆの聴取中には、表示手段７３によってテレビ視聴中イベント対応メニューを表示し、テレビジョン受信機４ｆの電源をオフする動作名１１７が選択されたとき、テレビジョン受信機４ｆの電源をオフにし、
呼気スイッチ１によって、および携帯電話装置７１ａの操作によって、テレビジョン受信機４ｆの電源をオンとし、テレビジョン受信機４ｆのチャンネルの選択を行い、テレビジョン受信機４ｆの電源をオフとし、
テレビジョン受信機４ｆの受信視聴中である場合、電話の着信が検出されたとき、呼気スイッチ１の操作によって前記スピーカ＆マイク１１による電話の応答通話を可能とし、
電話の相手による切断を検出し、
呼気スイッチ１の操作によって、および携帯電話装置７１ａの操作によって、電話の切断を行ったとき、および相手からの電話の切断を検出したとき、テレビジョン受信機４ｆの画面を、電話の着信検出前のチャンネルの表示に戻す環境制御装置２とを含み、
呼気スイッチ１と携帯電話装置７１ａとのどちらの経路から、入力されても、呼気スイッチ１の出力と携帯電話装置７１ａの出力とを等価に扱って各電子機器を動作させる環境制御装置管理ソフトウェア手段９８を有することを特徴とする適応的操作支援装置。
【請求項５】
（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｄ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作して、インターネット接続のためにダイヤル発信を行って無線で電話通信を行い、
表示手段７３は、
電話およびテレビジョン受信機４ｆなどの電子機器名または各電子機器の動作名である動作名１１７と、
各電子機器名または動作名１１７毎の数字１１８とが隣接して配置されたメニューを表示し、
前記電子機器名または動作名１１７毎の数字１１８は、前記置数キー１１３の数字に対応し、
表示手段７３と第１操作手段１１６との間には、第２操作手段１２１が配置され、
この第２操作手段１２１は、
上シフトキー１２２と、
その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各電子機器名または動作名１１７と、前記各電子機器名または動作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｅ）電力線を介してテレビジョン受信機４ｆに接続され、電気信号を送受信する電力線搬送手段３と、
（ｆ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
環境制御装置用スピーカと環境制御装置用マイクとから成るスピーカ＆マイク１１に接続され、
テレビジョン受信機４ｆに、接続され、
対話処理モードとイベント処理モードとを実行し、
これらの対話処理モードとイベント処理モードとにそれぞれ対応するメニューを、携帯電話装置７１ａの前記表示手段７３に表示させ、
対応処理モードでは、前記メニューは、基本メニュー５３ａ，５４ａと、電話操作メニュー５５ａ，６３ａと、テレビ操作メニュー５７ａと、チャンネル変更メニュー６４ａとを含み、
前記基本メニュー５３ａ，５４ａは、電話およびテレビジョン受信機４ｆの電子機器名１１７を含み、
前記電話操作メニュー５５ａ，６３ａは、電話番号で電話をかける動作名１１７を含み、
前記テレビ操作メニュー５７ａは、テレビジョン受信機４ｆのチャンネル変更、音量アップ、音量ダウンおよび電源オフの動作名１１７を含み、
前記チャンネル変更メニュー６４ａは、テレビジョン放送のチャンネル名である動作名１１７を含み、
イベント処理モードでは、前記メニューは、電話着信イベント対応メニューと、電話中イベント対応メニューと、電話切断イベント対応メニューと、テレビ視聴中イベント対応メニューとを含み、
前記電話着信イベント対応メニューは、電話に出る、および電話を無視する動作名１１７を含み、
前記電話中イベント対応メニューは、電話を切断する動作名１１７を含み、
前記電話切断イベント対応メニューでは、電話が切断されたことを表示し、
前記テレビ視聴中イベント対応メニューは、テレビジョン受信機４ｆの電源をオフする動作名１１７を含み、
テレビジョン受信機４ｆとの間で電気信号を、電力線を介して、送受信する電力線搬送手段３によって、接続され、
携帯電話装置７１ａの前記アナログ電話回線１３を介する出力信号に応答し、表示手段７３が表示している前記メニューの前記電子機器名または動作名１１７と、前記数字１１８との前記組合せの選択に従って、
前記基本メニューにおける電話が選択されたとき、電話操作メニュー５５ａ，６３ａを表示手段７３によって表示して入力された電話番号で電話をかける動作を行い、
基本メニューにおけるテレビジョン受信機４ｆが選択されたとき、前記テレビ操作メニュー５７ａを表示手段７３によって表示し、
そのテレビ操作メニュー５７ａのチャンネル変更の動作名１１７が選択されたとき、テレビジョン受信機４ｆを、その選択されたチャンネルに切替えて受信動作させ、
その後、再び、表示手段７３による前記チャンネル変更メニューの表示に戻し、
テレビ操作メニュー５７ａの音量アップ、音量ダウンまたは電源オフの動作名１１７が選択されたとき、テレビジョン受信機４ｆの音量の大小または電源のオフの各動作をそれぞれ行い、
アナログ電話回線１３からの電話の着信を検出し、
前記表示手段７３によって電話着信イベント対応メニューを表示し、
電話に出る動作名１１７が選択されたとき、前記スピーカ＆マイク１１によって電話の応答通話を可能とするとともに、表示手段７３によって電話中イベント対応メニューを表示し、
電話を切断する動作名１１７が選択されたとき、電話を切断するとともに、電話切断イベントメニューを表示し、
テレビジョン受信機４ｆの聴取中には、表示手段７３によってテレビ視聴中イベント対応メニューを表示し、テレビジョン受信機４ｆの電源をオフする動作名１１７が選択されたとき、テレビジョン受信機４ｆの電源をオフにする環境制御装置２とを含み、
呼気スイッチ１と携帯電話装置７１ａとのどちらの経路から、入力されても、呼気スイッチ１の出力と携帯電話装置７１ａの出力とを等価に扱ってテレビジョン受信機４ｆを動作させる環境制御装置管理ソフトウェア手段９８を有し、呼気スイッチ１の操作によって、および携帯電話装置７１ａの操作によって、テレビジョン受信機４ｆの電源をオンとし、テレビジョン受信機４ｆのチャンネルの選択を行い、テレビジョン受信機４ｆの電源のオフを行うことを特徴とする適応的操作支援装置。
【発明の詳細な説明】
【０００１】
【発明の属する技術分野】
本発明は、被支援者が複数種類の各電子機器の動作を選択して行わせるために操作支援を行う適応的操作支援装置に関する。
【０００２】
【従来の技術】
被支援者である障害者、特に頸椎損傷等で手足両方が不自由で、ほとんどベッド上での生活をせざるをえない障害者が、自分の意思で動くことができる残存機能（たとえば呼吸、瞬き、視線の動き、音声、頬の筋肉の動き、等の機能）を使って、自分の身の回りの装置を操作するために使用する環境制御装置に、最新の主にソフトウェア技術を使うことによって、装置の利便を向上させることができる。
【０００３】
最新の情報家電技術の発達によって、電灯線や無線経由で家電機器を操作したり、その機器の状態をフィードバックしたりすることが可能となっている。これを環境制御装置に利用することで、今までと比べ利便性の高い環境制御装置が実現される。次世代環境制御装置とは、障害者がテレビジョン受信機（以下、テレビと略称することがある）、電話、テレビドアホン（インターホン）、エアコンディショナ（空気調和装置、以下、エアコンと略称することがある）等の家電製品を自分の意思で自由自在に操作できるようにするための福祉機器である。
【０００４】
或る提案された環境制御装置は、ベッドに寝たきりの状態で生活せざるを得ない重度障害者だけを対象としたものであり、それゆえ、障害者の意思を環境制御装置に伝えるための入力スイッチ、たとえば▲１▼呼吸気式スイッチ、▲２▼押ボタン式スイッチ、▲３▼ひも式スイッチ、▲４▼握り締め式スイッチは、全て障害者が定位置で操作することを前提にしている。環境制御装置の恩恵を受ける人は、何も重度障害者に限ったことではなく、体の不自由な人であれば、▲１▼手足を全く動かせない寝たきりの障害者、▲２▼車椅子を使って生活しているが手や指は動かせる障害者、▲３▼リュウマチなどを患っているものの普通に生活している障害者までと多岐にわたる。すなわち、環境制御装置の恩恵を受ける可能性のある障害者のほとんどは、車椅子などの助けを借りて家の中を動き回っているため、先に述べた固定式（しかも有線方式）の入力スイッチではほとんどの障害者の生活形態に対応できない。
【０００５】
自分の意思で手足を動かせない重度の障害者は例外として、自分の意思で手や指を動かせる障害者の場合は、赤外線リモコン（遠隔制御装置）を用いることにより宅内に設置されているテレビ、ビデオ記録／再生装置（以下、ビデオと略称することがある）、エアコンなどの家電機器を自由に操作できると考えられがちであるが、実際の障害者に対して本件発明者がヒアリングを行った結果では表１に示す問題点が存在している。
【０００６】
この先行技術の問題点の１つは、リモコンの数が多すぎるということである。リモコンの数が５〜１０個と増えてくるとどれがどれやら判らなくなり、結果的に頻繁に使うリモコン、たとえばテレビとエアコンのリモコンしか使わなくなる。障害者が高齢者であるような場合は特にその傾向が強い。
【０００７】
他の問題は操作が統一されていないということである。リモコンの操作方法は製品、メーカ、機種毎にまちまちであるため、リモコンの数が増えてくると、障害者が高齢者であるような場合は使い方を覚えきれない。
【０００８】
他の問題は電池切れが生じるということである。リモコンの数が増えてくると、電池交換などのメンテナンスが行き届かず、いざ使おうとしたときにしばしば電池切れになっていることが多い。
【０００９】
また先行技術では、リモコンを持ち歩けないという問題がある。障害者が車椅子で生活している場合、常にリモコンを持ち歩いて手元で操作できるようにしておくことが望ましいが、実際問題として複数個のリモコンを車椅子にぶら下げる等して持ち歩くのは困難である。無理に持ち歩けば、リモコンを落として壊してしまう等の事故を招く。
【００１０】
先行技術のさらに他の問題は、リモコンが発生する赤外線が、長距離では届かないという問題がある。現在実用化されているリモコンは全て赤外線方式であるため、リモコンを向ける方向や、操作対象となる家電機器との距離等によってうまく操作できない。
【００１１】
次世代環境制御装置は、本来の対象である重度障害者の自立生活のために使用されるものであるが、そればかりでなく、手が使える障害者、高齢者、一般の健常者にとっても、動かずに電子機器が操作でき、しかもその操作が簡単に行える本装置は歓迎されるものである。
【００１２】
従来の環境制御装置について、呼気スイッチである管状のスイッチで、管を吹くことと、吸うことで２個の押しボタンスイッチの代りに機能する入力手段を用いた場合を、一例として説明する。装置には、２桁の数字を表示する表示器があり、その初期状態は「００」である。呼気スイッチを吹くと、１回吹く度に１０位の桁が１ずつ上がり、「００」→「１０」→「２０」→…と変化し、１回吸う数字が確定する。「３０」→で確定したとし、次にさらに吹くと、今度は１位の桁の数字が「３０」→「３１」→「３２」→…と変わる。再度、吹くことで、例えば「３４」が確定する。
【００１３】
この２桁の数字を、たとえば１０位の桁、０が電話とし、「００」が電話のピックアップ、「０１」を切断、「０２」〜「０９」を短縮番号のように設定する。その他の桁も同様に、「１０」：ＴＶ（テレビジョン受信機）のオン、「１１」：ＴＶのオフ、「１２」：ＴＶチャンネルのアップ、…と設定していくと、障害者は息を吹くことと吸うことの動作だけで、手が使えなくても目的の数字が選択できる。
【００１４】
これらの数字は、上述の実際の電子機器の操作に繋がっている。赤外線リモコン（遠隔制御手段）で操作することができる電子機器では、番号に対応しリモコンから赤外線のパルスが発信され、電子機器を操作する。リモコンが使えない電子機器では、リレーを使って直接に電源をオンオフするなどして、電子機器を操作する。
【００１５】
操作後、一定の時間がたつと表示器の数字が「００」に戻る。そのため、最も早い対応を要求される電話ピックアップを「００」に割当てる例が多い。
【００１６】
このような先行技術の問題点は、次のとおりである。
・電子機器を操作するまでに時間がかかる。
・電子機器の設定をするのに手数がかかる。
・電子機器が動作しているのか確認できない場合がある。
・操作できる電子機器の数が限られている。
・停電時に操作できなくなる。
・停電復旧時に操作ができなくなる場合がある。たとえばエアマット使用の障害者も多いが、停電でエアマットがオフになると、復旧後もエアマットは勝手には膨らまないので、呼気スイッチが操作できない。
【００１７】
【発明が解決しようとする課題】
本発明の目的は、障害者などの被支援者が、複数の電子機器の複数の各動作を、簡単な操作で、どこからでも操作することができるようにした適応的操作支援装置を提供することである。
【００１８】
【課題を解決するための手段】
本発明は、（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）対話処理メニューを表示する表示装置６と、
（ｄ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｅ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作してインターネット接続のためにダイヤル発信を行い、無線で電話通信を行い、
表示手段７３は、電話およびテレビジョン受信機４ｆの各操作名１１７と、
各操作名１１７毎の数字１１８とが右および左に対応して隣接して配置されたチャンネル変更メニューを表示し、
前記操作名１１７毎の数字１１８は、前記置数キー１１３の数字に対応し、
表示手段７３と第１操作手段１１６との間には、第２操作手段１２１が配置され、
この第２操作手段１２１は、上シフトキー１２２と、その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各操作名１１７と、前記各操作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｆ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
スピーカ＆マイク１１に接続され、
テレビジョン受信機４ｆとの間で電気信号を、電力線を介して、送受信する電力線搬送手段３によって、接続され、
呼気スイッチ１からの前記可撓性ラインを介する出力によって、前記表示装置６３によって表示されたメニュー項目を選択および決定し、
アナログ電話回線１３からの電話の着信を検出し、
テレビジョン受信機４ｆの受信視聴中である場合、テレビジョン受信機４ｆの画面を第１操作画面に変え、
この第１操作画面は、最上位メニューに「電話に出る」を表示し、
呼気スイッチ１によって「電話に出る」を選択したとき、前記スピーカ＆マイク１１によって電話の応答通話を可能とし、かつ表示装置６および表示手段７３によって電話の切断のための「電話を切る」を表示し、
呼気スイッチ１の操作によって、および携帯電話装置７１ａの操作によって、電話の切断を行ったとき、および相手からの電話の切断を検出したとき、テレビジョン受信機４ｆの画面を、電話の着信検出前のチャンネルの表示に戻し、
呼気スイッチ１と携帯電話装置７１ａとのどちらの経路から、入力されても、呼気スイッチ１の出力と携帯電話装置７１ａの出力とを等価に扱ってテレビジョン受信機４ｆを動作させる環境制御装置管理ソフトウェア手段９８を有し、呼気スイッチ１の操作によって、および携帯電話装置７１ａの操作によって、テレビジョン受信機４ｆの電源をオンとし、テレビジョン受信機４ｆのチャンネルの選択を行い、テレビジョン受信機４ｆの電源のオフを行うことを特徴とする適応的操作支援装置である。
また本発明は、（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）対話処理メニューを表示する表示装置６と、
（ｄ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｅ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作して、インターネット接続のためにダイヤル発信を行って、無線で電話通信を行い、
表示手段７３は、
電話およびテレビジョン受信機４ｆなどの電子機器名または各電子機器の動作名である動作名１１７と、
各電子機器名または動作名１１７毎の数字１１８とが隣接して配置されたメニューを表示し、
前記電子機器名または動作名１１７毎の数字１１８は、前記置数キー１１３の数字に対応し、
表示手段７３と第１操作手段１１６との間には、第２操作手段１２１が配置され、
この第２操作手段１２１は、
上シフトキー１２２と、
その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各電子機器名または動作名１１７と、前記各電子機器名または動作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｆ）電力線を介してテレビジョン受信機４ｆに接続され、電気信号を送受信する電力線搬送手段３と、
（ｇ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
環境制御装置用スピーカと環境制御装置用マイクとから成るスピーカ＆マイク１１に接続され、
テレビジョン受信機４ｆとの間で電気信号を、電力線を介して、送受信する電力線搬送手段３によって、接続され、
対話処理モードとイベント処理モードとを実行し、
これらの対話処理モードとイベント処理モードとにそれぞれ対応するメニューを、携帯電話装置７１ａの前記表示手段７３に表示させ、
対応処理モードでは、前記メニューは、基本メニュー５３ａ，５４ａと、電話操作メニュー５５ａ，６３ａと、テレビ操作メニュー５７ａと、チャンネル変更メニュー６４ａとを含み、
前記基本メニュー５３ａ，５４ａは、電話およびテレビジョン受信機４ｆの電子機器名１１７を含み、
前記電話操作メニュー５５ａ，６３ａは、電話番号で電話をかける動作名１１７を含み、
前記テレビ操作メニュー５７ａは、テレビジョン受信機４ｆのチャンネル変更、音量アップ、音量ダウンおよび電源オフの動作名１１７を含み、
前記チャンネル変更メニュー６４ａは、テレビジョン放送のチャンネル名である動作名１１７を含み、
イベント処理モードでは、前記メニューは、電話着信イベント対応メニューと、電話中イベント対応メニューと、電話切断イベント対応メニューと、テレビ視聴中イベント対応メニューとを含み、
前記電話着信イベント対応メニューは、電話に出る、および電話を無視する動作名１１７を含み、
前記電話中イベント対応メニューは、電話を切断する動作名１１７を含み、
前記電話切断イベント対応メニューでは、電話が切断されたことを表示し、
前記テレビ視聴中イベント対応メニューは、テレビジョン受信機４ｆの電源をオフする動作名１１７を含み、
テレビジョン受信機４ｆとの間で電気信号を、電力線搬送手段３によって、電力線を介して送受信し、
携帯電話装置７１ａからの無線による出力がインターネット経由で与えられるＯＣＮ回線８８、または前記アナログ電話回線１３を介する出力信号に応答し、表示手段７３が表示している前記メニューの前記電子機器名または動作名１１７と、前記数字１１８との前記組合せの選択に従って、
前記基本メニューにおける電話が選択されたとき、電話操作メニュー５５ａ，６３ａを表示手段７３によって表示して入力された電話番号で電話をかける動作を行い、
基本メニューにおけるテレビジョン受信機４ｆが選択されたとき、前記テレビ操作メニュー５７ａを表示手段７３によって表示し、
そのテレビ操作メニュー５７ａのチャンネル変更の動作名１１７が選択されたとき、テレビジョン受信機４ｆを、その選択されたチャンネルに切替えて受信動作させ、
その後、再び、表示手段７３による前記チャンネル変更メニューの表示に戻し、
テレビ操作メニュー５７ａの音量アップ、音量ダウンまたは電源オフの動作名１１７が選択されたとき、テレビジョン受信機４ｆの音量の大小または電源のオフの各動作をそれぞれ行い、
アナログ電話回線１３からの電話の着信を検出し、
前記表示手段７３によって電話着信イベント対応メニューを表示し、
電話に出る動作名１１７が選択されたとき、前記スピーカ＆マイク１１によって電話の応答通話を可能とするとともに、表示手段７３によって電話中イベント対応メニューを表示し、
電話を切断する動作名１１７が選択されたとき、電話を切断するとともに、電話切断イベントメニューを表示し、
テレビジョン受信機４ｆの聴取中には、表示手段７３によってテレビ視聴中イベント対応メニューを表示し、テレビジョン受信機４ｆの電源をオフする動作名１１７が選択されたとき、テレビジョン受信機４ｆの電源をオフにし、
呼気スイッチ１によって、および携帯電話装置７１ａの操作によって、テレビジョン受信機４ｆの電源をオンとし、テレビジョン受信機４ｆのチャンネルの選択を行い、テレビジョン受信機４ｆの電源をオフとし、
テレビジョン受信機４ｆの受信視聴中である場合、電話の着信が検出されたとき、呼気スイッチ１の操作によって前記スピーカ＆マイク１１による電話の応答通話を可能とし、
電話の相手による切断を検出し、
呼気スイッチ１の操作によって、および携帯電話装置７１ａの操作によって、電話の切断を行ったとき、および相手からの電話の切断を検出したとき、テレビジョン受信機４ｆの画面を、電話の着信検出前のチャンネルの表示に戻す環境制御装置２とを含み、
呼気スイッチ１と携帯電話装置７１ａとのどちらの経路から、入力されても、呼気スイッチ１の出力と携帯電話装置７１ａの出力とを等価に扱って各電子機器を動作させる環境制御装置管理ソフトウェア手段９８を有することを特徴とする適応的操作支援装置である。
また本発明は、（ａ）環境制御装置２からの命令によって赤外線信号を出力する赤外線リモコン８と、
（ｂ）赤外線リモコン８から出力された赤外線信号に応答して、テレビジョン受信チャンネルを変化させるテレビジョン受信機４ｆと、
（ｃ）呼気スイッチ１であって、
呼吸気を吹いたり吸ったりするための管を有し、
表示装置６に表示される対話処理メニューのメニュー項目を選択するために息を吹く操作が行われ、選択されたメニュー項目を決定するために息を吸う操作が行われる呼気スイッチ１と、
（ｄ）携帯電話装置７１ａであって、
表示手段７３と、
表示手段７３の下方に配置され、数字０，１，２，…，９を示す合計１０個の置数キー１１３を含む第１操作手段１１６と、
表示手段７３の上方に設けられるスピーカ１１４と、
置数キー１１３の下方に設けられるマイクロホン１１５とを含み、
第１操作手段１１６を操作して、インターネット接続のためにダイヤル発信を行って無線で電話通信を行い、
表示手段７３は、
電話およびテレビジョン受信機４ｆなどの電子機器名または各電子機器の動作名である動作名１１７と、
各電子機器名または動作名１１７毎の数字１１８とが隣接して配置されたメニューを表示し、
前記電子機器名または動作名１１７毎の数字１１８は、前記置数キー１１３の数字に対応し、
表示手段７３と第１操作手段１１６との間には、第２操作手段１２１が配置され、
この第２操作手段１２１は、
上シフトキー１２２と、
その上シフトキー１２２の下方に配置される下シフトキー１２３と、
これらの上下の各シフトキー１２２，１２３の間に配置される決定ボタン１２４とを含み、
上下の各シフトキー１２２，１２３の操作の度に、前記各電子機器名または動作名１１７と、前記各電子機器名または動作名１１７毎の数字１１８との組合せを、上方に順次的に、または下方に順次的に、１つずつ選択しながら網かけ表示の態様を変化し、
決定ボタン１２４の押圧操作によって、選択された前記組合せを決定する携帯電話装置７１ａと、
（ｅ）電力線を介してテレビジョン受信機４ｆに接続され、電気信号を送受信する電力線搬送手段３と、
（ｆ）環境制御装置２であって、
呼気スイッチ１に可撓性ラインを介して接続され、
前記携帯電話装置７１ａからの無線による出力がインターネット経由で与えられるＯＣＮ回線８８に接続され、またはアナログ電話回線１３に接続され、
環境制御装置用スピーカと環境制御装置用マイクとから成るスピーカ＆マイク１１に接続され、
テレビジョン受信機４ｆに、接続され、
対話処理モードとイベント処理モードとを実行し、
これらの対話処理モードとイベント処理モードとにそれぞれ対応するメニューを、携帯電話装置７１ａの前記表示手段７３に表示させ、
対応処理モードでは、前記メニューは、基本メニュー５３ａ，５４ａと、電話操作メニュー５５ａ，６３ａと、テレビ操作メニュー５７ａと、チャンネル変更メニュー６４ａとを含み、
前記基本メニュー５３ａ，５４ａは、電話およびテレビジョン受信機４ｆの電子機器名１１７を含み、
前記電話操作メニュー５５ａ，６３ａは、電話番号で電話をかける動作名１１７を含み、
前記テレビ操作メニュー５７ａは、テレビジョン受信機４ｆのチャンネル変更、音量アップ、音量ダウンおよび電源オフの動作名１１７を含み、
前記チャンネル変更メニュー６４ａは、テレビジョン放送のチャンネル名である動作名１１７を含み、
イベント処理モードでは、前記メニューは、電話着信イベント対応メニューと、電話中イベント対応メニューと、電話切断イベント対応メニューと、テレビ視聴中イベント対応メニューとを含み、
前記電話着信イベント対応メニューは、電話に出る、および電話を無視する動作名１１７を含み、
前記電話中イベント対応メニューは、電話を切断する動作名１１７を含み、
前記電話切断イベント対応メニューでは、電話が切断されたことを表示し、
前記テレビ視聴中イベント対応メニューは、テレビジョン受信機４ｆの電源をオフする動作名１１７を含み、
テレビジョン受信機４ｆとの間で電気信号を、電力線を介して、送受信する電力線搬送手段３によって、接続され、
携帯電話装置７１ａの前記アナログ電話回線１３を介する出力信号に応答し、表示手段７３が表示している前記メニューの前記電子機器名または動作名１１７と、前記数字１１８との前記組合せの選択に従って、
前記基本メニューにおける電話が選択されたとき、電話操作メニュー５５ａ，６３ａを表示手段７３によって表示して入力された電話番号で電話をかける動作を行い、
基本メニューにおけるテレビジョン受信機４ｆが選択されたとき、前記テレビ操作メニュー５７ａを表示手段７３によって表示し、
そのテレビ操作メニュー５７ａのチャンネル変更の動作名１１７が選択されたとき、テレビジョン受信機４ｆを、その選択されたチャンネルに切替えて受信動作させ、
その後、再び、表示手段７３による前記チャンネル変更メニューの表示に戻し、
テレビ操作メニュー５７ａの音量アップ、音量ダウンまたは電源オフの動作名１１７が選択されたとき、テレビジョン受信機４ｆの音量の大小または電源のオフの各動作をそれぞれ行い、
アナログ電話回線１３からの電話の着信を検出し、
前記表示手段７３によって電話着信イベント対応メニューを表示し、
電話に出る動作名１１７が選択されたとき、前記スピーカ＆マイク１１によって電話の応答通話を可能とするとともに、表示手段７３によって電話中イベント対応メニューを表示し、
電話を切断する動作名１１７が選択されたとき、電話を切断するとともに、電話切断イベントメニューを表示し、
テレビジョン受信機４ｆの聴取中には、表示手段７３によってテレビ視聴中イベント対応メニューを表示し、テレビジョン受信機４ｆの電源をオフする動作名１１７が選択されたとき、テレビジョン受信機４ｆの電源をオフにする環境制御装置２とを含み、
呼気スイッチ１と携帯電話装置７１ａとのどちらの経路から、入力されても、呼気スイッチ１の出力と携帯電話装置７１ａの出力とを等価に扱ってテレビジョン受信機４ｆを動作させる環境制御装置管理ソフトウェア手段９８を有し、呼気スイッチ１の操作によって、および携帯電話装置７１ａの操作によって、テレビジョン受信機４ｆの電源をオンとし、テレビジョン受信機４ｆのチャンネルの選択を行い、テレビジョン受信機４ｆの電源のオフを行うことを特徴とする適応的操作支援装置である。
【００１９】
また本発明は、呼鈴を有し、インターホン通話が可能なテレビ・ドアホン・システム１６を含み、
環境制御装置２は、テレビ・ドアホン・システム１６に接続され、前記呼鈴の出力に応答し、テレビジョン受信機が受信視聴中である場合、テレビジョン受信機の画面を、第２操作画面に変え、
この第２操作画面は、「来客です」を表示し、呼気スイッチ１の操作によって、最上位メニューである「インターホンにつなぐ」が選択されると、前記スピーカ＆マイク１１によってインターホン通話を可能にすることを特徴とする。
【００２０】
また本発明は、携帯電話装置７１ａと環境制御装置２とは、インタネットを介して通信可能であることを特徴とする。
【００２１】
本発明に従えば、携帯形通信装置の操作態様で操作を行うことによって、環境制御装置は、複数の各電子機器の選択および各電子機器の動作の選択を行い、この選択された電子機器を、選択された動作で動作制御手段によって動作させる。この選択操作可能な各電子機器と、各電子機器の複数種類の各動作を、表示手段によって表示するとともに、選択された後の電子機器とその動作もまた表示手段によって表示される。こうして被支援者による電子機器の動作の選択が容易になる。次世代環境制御装置では障害の程度に合わせて入力スイッチを選択できるので、重度の障害者（全く手足を動かせない）から一般高齢者まで、様々な人が利用できる。たとえば、足腰は不自由だけれども手や指は自由に動かせるという方であれば、ｉモード対応携帯電話装置（以下、ｉモード携帯電話、または携帯電話と略称することがある）を入力スイッチとして利用することにより、携帯電話の液晶モニタに表示されているメニューを選択するだけで、テレビのチャンネルを切替えたり、玄関の外にいる訪問者とテレビ電話で話したりすることが可能になる。簡単に言うと、その場に居ながらにして家中の家電製品を自由自在に操作できるというわけである。こうして本発明に従えば、ベッドに寝たきりの状態で生活せざるを得ない重度障害者のみならず、車椅子などの福祉機器の助けを借りて家の中を動き回って生活している障害者までが環境制御装置の恩恵に与ることを可能とするために、持運び可能な意思伝達手段（障害者から環境制御装置に対する）を提供することができるようになる。
【００２２】
本発明に従えば、携帯形通信装置である入力スイッチとして▲１▼ｉモード対応携帯電話、▲２▼ブラウザホン（ＰＨＳ）、▲３▼ＰＤＡ（情報端末装置）などを用いる。具体的には後述の図４に示すとおり、学習型赤外線リモコンや電力線搬送通信を利用し、個々の赤外線リモコン（家電機器に付属しているもの）の機能を環境制御装置自体に持たせるとともに、▲１▼ｉモード対応携帯電話７１ａ、▲２▼ブラウザホン（ＰＨＳ）７１ｂ、▲３▼ＰＤＡ（情報端末装置）７１ｃを環境制御装置に対するハイパリモコン（個々のリモコンに対する上位リモコンという概念）７１として利用できるようにすることにより、１台の入力スイッチ（たとえばｉモード対応携帯電話）によって全ての家電機器を操作できるようにする。前述のＰＨＳは、Personal Handyphone Systemであり、前述のＰＤＡは、Personal Digital Assistantである。また、▲１▼ｉモード対応携帯電話、▲２▼ブラウザホン（ＰＨＳ）、▲３▼ＰＤＡ（情報端末）を入力スイッチとして用いた場合の情報伝達経路は、それぞれの装置の動作原理の違いにより後述の図５のとおりとなる。こうして本発明では、先行技術におけるリモコンの数が多すぎるという問題が解決される。
【００２３】
本発明の携帯形通信装置は、以下の説明では、ハイパリモコンと称することがあり、本発明に従えば、このような▲１▼ｉモード対応携帯電話、▲２▼ブラウザホン（ＰＨＳ）、▲３▼ＰＤＡ（情報端末）を利用して実現されるハイパリモコンは、図１０７のとおり、全ての家電機器の操作を箇条書き形式のメニューとして提供できるため、ユーザは、メニューを選んで選択する、というワンパターンの簡単な操作によって家電機器の全ての機能を操作することが可能である。したがって本発明では、現在市販されている家電機器に付属の赤外線リモコンの操作は、対象機器、メーカ、機種毎にばらばらであり統一性がないという問題が、本発明では、解決される。
【００２４】
また本発明に従えば、▲１▼ｉモード対応携帯電話、▲２▼ブラウザホン（ＰＨＳ）、▲３▼ＰＤＡ（情報端末）を利用して実現されるハイパリモコンを充電式とすることによって、電池切れの問題はない。さらに、メンテナンスすべき対象が１台の携帯形通信装置しかないので、うっかり充電するのを忘れていた、といったトラブルの発生頻度も非常に低くなる。
【００２５】
また本発明に従えば、▲１▼ｉモード対応携帯電話、▲２▼ブラウザホン（ＰＨＳ）、▲３▼ＰＤＡ（情報端末）を利用して実現されるハイパリモコンは、胸ポケットに入れたり、車椅子の取っ手にストラップを引っ掛けるといった方法でどこにでも持ち歩くことが可能である。
【００２６】
また本発明に従えば、▲１▼ｉモード対応携帯電話、▲２▼ブラウザホン（ＰＨＳ）、▲３▼ＰＤＡ（情報端末）を利用して実現されるハイパリモコンは、赤外線ではなく電波を使ってユーザの意思を伝達するので、リモコンを向ける方向や対象機器との距離によってうまく操作できないといったトラブルは原理的に発生しない。
【００２７】
ソフトウェアによって動作を記述できる機器（パソコンのようなもの）を中核とし、ＵＰＳ（無停電電源装置）を組合せ、かつ情報家電と情報のやり取りができるインタフェース（現状の情報家電の計画では電灯線経由のＥＣＨＯＮＥＴ規格やＬＯＮ規格、無線を使用したBluetooth）を備えた装置を、本発明のいわば次世代環境制御装置とする。
【００２９】
本発明に従えば、電子機器およびその動作の選択される可能性が最も高い機能が最優先順位で選択されることが可能になり、これによって操作性がさらに向上される。
【００３４】
本発明に従えば、電子機器の１つの種類として、テレビジョン受信機を用いる構成では、携帯形通信装置の操作部を操作して、テレビジョン放送の複数のチャンネルを個別的に選択することができる。このようなチャンネルの選択は、表示手段に表示された各チャンネルに対応する数字０，１，２，…，９である数字に対応した置数キーを操作するようにして実現してもよく、または本発明の実施の他の形態では、操作部の操作によってチャンネル名と数字などのキャラクタとの組合せを順次選択手段によって正方向または逆方向に順次選択することができ、こうして得られた選択された組合せは、決定手段の操作によって決定し、テレビジョン受信機におけるチャンネルの受信状態となる。こうしてテレビジョン受信機のチャンネルの選択が容易になる。
【００３６】
本発明に従えば、たとえばテレビジョン受信機などのために、操作部を操作して、受信すべきテレビジョン放送のチャンネルの１つを選択した後には、複数のチャンネル名とその各チャンネルに対応するキャラクタとを対応して、たとえば一覧表の形式で１画面内に表示する。こうして次のチャンネルの選択操作が容易になる。本発明では、テレビジョン受信機だけでなく、そのほかの各種の電子機器に関連して広範囲に実施することができ、チャンネル名に代えて、各電子機器の動作名と、その動作名に対応して置数キーなどの操作部を示すキャラクタとの組合せを、１画面内に表示するようにしてもよい。
【００３７】
また本発明は、環境制御手段と有線通信、赤外線通信、または電力線搬送通信することができる遠隔制御手段をさらに含むことを特徴とする。
【００３８】
本発明に従えば、携帯形通信装置だけでなく、そのほかの構成を有する遠隔制御手段をさらに備えるようにしてもよい。この遠隔操作手段は、たとえば前述のように吸気スイッチであり、被支援者の呼吸の気体によって操作される構成を有し、吸気および呼気によって操作態様を異ならせることができ、あるいはまた吸気および呼気の連続した時間または予め定める時間内の回数を変化することによって操作態様を変化することもまた可能である。操作手段はまた、押しボタンスイッチであってもよく、あるいはまたマイクロホンと、マイクロホンからの音声信号を音声認識する構成によって実現されてもよく、さらにそのほかの構成によって実現されてもよい。
【００３９】
本発明に従えば、被支援者が、自分の意思で手足を全く動かせない重度障害者であるとき、息だけで操作可能な呼吸気式スイッチを用い、足腰が不自由なため車椅子で生活しているものの、手や指は自由に動かせる障害者であるとき、指で操作可能なハイパリモコンを用い、足腰が不自由なため車椅子で生活しているとともに筋萎縮性疾患などにより手で物を掴むことができない障害者であって、ただし、携帯電話などをひざの上に置いた状態であれば指を使って操作することができるとき、ベッドに寝た状態では物を持つことができないため、押ボタン式スイッチなどの固定式スイッチが必要であり、車椅子に座った状態であれば、ハイパリモコンのような持ち歩けるスイッチであり、リュウマチなどで足腰が不自由だが車椅子がなくても宅内を移動でき、また手や指も不自由だが、携帯電話程度の軽いものであれば、ひざの上に置いたり、自力で握った状態で操作できるとき、どこにでも持ち歩けるハイパリモコンであり、自力で宅内を移動できるが、指を動かせない障害者であるとき、押ボタン式スイッチなどの固定式スイッチであってもよい。
【００４０】
本件明細書において電子機器というのは、たとえば電気ストーブおよび照明灯などのように電力を消費する構成要素を主として含む構成であってもよく、あるいはまた電子回路を主として含む構成であってもよい。
【００４１】
【発明の実施の形態】
図１は、本発明の実施の一形態の全体の構成を示すブロック図である。被支援者は、残存機能である呼吸機能を用い、その呼気スイッチ１を、吸気および呼気によって操作し、その吸気、呼気、それらの連続的な操作、単位時間あたりの回数などのような複数種類の操作態様を行うことができる。呼気スイッチ１の出力は、パーソナルコンピュータなどによって実現される環境制御装置（Environment Control System、略称ＥＣＳ）２に与えられる。この環境制御装置２は、電力線搬送手段３によって、複数種類の電子機器、たとえば空気調和装置４ａ、換気扇４ｂ、ラジオカセットテープレコーダ４ｃのための赤外線遠隔制御手段４ｄ、照明器具４ｅなどを含むとともに、さらにテレビジョン受信機４ｆを含む。参照符のアルファベットの添え字を省略して総括的に数字だけで示すことがある。電子機器は、電気ストーブおよび照明灯などであってもよく、またコンピュータによる通信によって操作可能な電子機器であってもよい。
【００４２】
こうして設置工事容易化が図られる。情報家電に関して、外部からの通信信号により、電源のＯＮ／ＯＦＦや各種の設定変更等を行うことのできる次世代家電機器と連係し、電子機器の持つ全ての機能をＥＣＳ経由で使いこなすことを可能とする。電灯線通信に関して、標記情報家電とＥＣＳとを接続する構成の１つとして、家庭用コンセントにプラグを差込むだけで、電源供給用と同時に制御信号等のデータ通信を電力線を用いて行う技術について適用される。無線通信に関して、標記情報家電とＥＣＳとを接続する構成の１つとして、無線通信によりデータ通信を行う技術について適用される。プログラマブル赤外線リモコンに関して、電子機器である家電機器（赤外線リモコン対応型）については、環境制御装置からの信号を赤外線信号に変換するプログラマブル・リモコンを用いることにより、リモコンで制御可能な範囲でＥＣＳと接続する構成について適用される。スイッチリレー接点に関して、赤外線のインターフェースも持たない機器については、スイッチの状態を検知して無線あるいは電力線に信号を送ったり、これらの信号によりリレーを作動させたりするアダプタを開発するなどの構成により接続を可能とする。通信のためには、無線通信であってもよく、有線通信であってもよく、さらに光通信であってもよく、さらにこれらの各種の構成が異なる通信手段を併用するようにしてもよく、電気信号、光信号などの信号が送受信することができる構成であればよい。
【００４３】
環境制御装置用表示手段５は、環境制御装置２に接続され、陰極線管または液晶パネルなどによって実現される表示手段６を備えるとともに、コントローラ７によって、テレビジョン放送を受信し、表示手段６によって表示することができる。表示手段６は、前述のようにたとえば液晶パネルであって、ベッドに寝たきりとなっている被支援者のベッド上方に配置され、各種の電子機器の動作状態を表示し、後述の図１５または図１６の各表示状態を達成することができる。コントローラ７は、環境制御装置２に接続される。さらに赤外線を利用する遠隔操作手段８，９によって、コントローラ７の動作を制御することもまた可能である。環境制御装置２には、スピーカ＆マイク１１が接続され、さらにシミュレータ演算を行うパーソナルコンピュータなどの処理手段１２が備えられていてもよい。処理手段１２は、模擬電子機器の働きを行わせることができる。この模擬電子機器は、たとえば空気調和装置などであってもよく、操作手段による操作をしたとき、どのような動作が模擬的に行われるかを、被支援者が試験運転を行い、このような空気調和装置などの電子機器を購入するかどうかを決定するために有利に、実施されることができる。本発明では、このような模擬電子機器のための処理手段１２は備えられていてもよいけれども、備えられていなくてもよい。後述の説明では、処理手段１２を用いて模擬運転が行われる動作も、説明されている。このような処理手段１２による模擬電子機器は、仮想デバイスと呼ばれることもある。環境制御装置２にはまた、外線であるアナログ電話回線１３を介して、モデム１４が接続され、デジタル電話回線１５に接続される。さらにテレビドアホンシステム１６が、コントローラ７に関連して接続されるとともに、環境制御装置２に接続される。テレビドアホンシステム１６は、テレビドアホン子機１７、その親機１８を備え、さらにモデム１４に接続されるアナログ回路アダプタ１９を備える。このテレビドアホンシステム１６はまた、環境制御装置２の働きによってスピーカ＆マイク１１による電話器の機能を達成することも可能である。
【００４４】
環境制御装置２には、ハイパリモコン７１が、送受信の通信手段７２を介して接続される。ハイパリモコン７１は、携帯形であって、比較的小さい表示手段７３を有する。
【００４５】
図２は、図１に示される本発明の実施の一形態の全体の構成を簡略化して示す図である。環境制御装置２には、モデム１４を介して電話通信を行う据え置き形電話機７４が接続される。この環境制御装置２には、電力線搬送手段３によって、さらにビデオ記録／再生装置４ｇ、被支援者のための電動ベッド４ｈおよびその他の電子機器が接続される。さらにこの環境制御装置２には、呼気スイッチ１だけでなく、押ボタン式スイッチ７６、握り締め式スイッチ７７が、たとえば可撓性ラインなどを介して接続される。さらにこの環境制御装置２には、入力操作が可能な表示手段７８が接続され、前述の各種の電子機器の操作が可能であり、その各動作状態が表示される。ハイパリモコン７１は、無線通信によって環境制御装置２と送受信の通信を行うことができる。ハイパリモコン７１には、前述のように比較的小形の表示手段７３が備えられるとともに、押ボタンなどのキーによって実現される操作手段７９が備えられる。
【００４６】
図３は、図１および図２に示される本発明の実施の一形態の全体の構成を簡略化して示すブロック図である。電子機器の１つとして換気扇４ｊが含まれてもよい。また入力操作手段の１つとして、押ボタン式スイッチ７６などのほかに、ひも式スイッチ８０がさらに追加されて備えられる。環境制御装置２には、無停電電源装置８１が接続され、また電力線搬送手段３には、ＥＣＨＯＮＥＴ（商品名）アダプタ８２が介在され、省電力化が図れる。
【００４７】
ユーザインタフェース機器として本発明ではハイパリモコン７１が用いられ、さらに表示手段７８が用いられる。表示手段７８は、たとえば１０インチ形の表示領域を有し、比較的大形であり、部屋の固定場所に据え付けられる。この表示手段７８は、携帯電話７１と同様な機能を有していてもよい。
【００４８】
図４は本発明の実施の一形態におけるハイパリモコン７１の具体的な形状を示す図である。ハイパリモコン７１は、ｉモード対応携帯電話装置７１ａであってもよく、ブラウザホン（ＰＨＳ）７１ｂであってもよく、さらにＰＤＡ（情報端末装置）７１ｃであってもよく、これらのハイパリモコン７１は無線で、すなわち電波で、環境制御装置２と通信することができる。
【００４９】
図５は、ハイパリモコン７１と環境制御装置２との通信を行うための情報伝達経路を示す図である。携帯電話７１ａは、パケット通信網８４を経て、ｉモード通信機器８５からインタネット７６を経て、さらにＯＣＮ（Open Computer Network）のサービスセンタであるプロバイダ８７からＯＣＮ回線８８を経て、環境制御装置２と双方向通信が可能である。
【００５０】
ブラウザホン（ＰＨＳ）７１ｂおよびＰＤＡ（情報端末装置）７１ｃは、地域的な通信網８９を介してＰＨＳ親機９０と、双方向の通信を行うことができる。親機９０は、モジュラケーブル９１からモデムブリッジ９２を介して、ＬＡＮ（Local Area Network）ケーブル９３を経て、環境制御装置２に電気的に接続される。環境制御装置２とともに、親機９０およびモデムブリッジ９２などは、宅内設備を構成する。
【００５１】
図６は、ハイパリモコン７１と呼気スイッチ１などを含む固定式スイッチとが環境制御装置２に電気的に接続される構成を示すブロック図である。ハイパリモコン７１は前述のように携帯電話７１ａ、ブラウザホン（ＰＨＳ）７１ｂおよびＰＤＡ（情報端末装置）７１ｃである。固定式スイッチというのは、押ボタンスイッチ７６、握り締めスイッチ７７およびひも式スイッチ８０などを含む。
【００５２】
図７は、図６に示されるブロック図の一部を示す図である。携帯電話７１ａは、前述の図５に示される構成と同様に、環境制御装置２と通信可能である。
【００５３】
図６および図７を参照してハイパリモコン７１と固定式スイッチとに関する環境制御装置２の構成の動作原理を述べる。▲１▼ｉモード対応携帯電話７１ａ、▲２▼ブラウザホン（ＰＨＳ）７１ｂ、▲３▼ＰＤＡ（情報端末装置）７１ｃを利用して実現されるハイパリモコン７１は、図６に示す構成によって家電機器の操作を可能とする。意思伝達通信の流れは以下のとおりである。
【００５４】
（１）次世代環境制御装置２は、いわゆるＷＷＷ（World Wide Web）サーバ９５として屋外からも参照可能になっている。
（２）ユーザは、ｉモード対応携帯電話７１ａの液晶モニタ７３に表示されているメニュー（次世代環境制御装置から取得した情報）を選択し、操作したい家電機器とその機能を選択する。
（３）メニューを選択したという事実がインタネット７６を介して次世代環境制御装置２上で動作しているＷＷＷサーバソフトウェア９５に送信される。
（４）一般的なホームページの場合はここで終わりであるが、本システムでは、メニューを選択したという事実が、ＣＧＩ（C ommon Gateway Interface）ソフトウェア９６を介してライン９７を経て環境制御装置管理ソフトウェア９８に送信される。
（５）環境制御装置管理ソフトウェア９８は送信された情報の意味を解釈し、操作対象となる家電機器の性格に応じて、学習型赤外線リモコン制御ソフトウェア１０１、電力線搬送通信制御ソフトウェア１０２、Bluetooth制御ソフトウェア１０３のいずれかに命令を発生する。
（６）学習型赤外線リモコン制御ソフトウェア１０１、電力線搬送通信制御ソフトウェア１０２、Bluetooth制御ソフトウェア１０３は、学習型赤外線リモコン８、電力線搬送通信モジュール３、Bluetooth通信モジュール１０４をそれぞれ介して、操作対象となる実際の家電機器４，９に赤外線および電波などの電磁波を用いて命令を発信する。
【００５５】
ハイパリモコン７１側の内部動作は、ｉモード対応携帯電話７１ａの場合と全く同じである。すなわち以下のとおり説明する。
（１）ＷＷＷサーバ（環境制御装置）９５のＵＲＬを指定してセッションを開始する。
（２）ＷＷＷサーバ９５から送信されてきたＷＷＷページ（コンパクトＨＴＭＬで記述されている）を表示手段７３に表示する。
（３）ユーザは、操作手段７９を操作して、希望するメニュー項目を選択する。
【００５６】
ｉモード携帯電話７１ａが、ハイパリモコン７１として機能する構成は、環境制御装置２側にある。環境制御装置２側の一連の動作を流れ図で示したものを後述の図１７に示す。
【００５７】
図８は、環境制御装置２の具体的な動作を示す図である。環境制御装置２は、ユーザインタフェース２１とエキスパートシステム２２とデバイス監視制御システム２３とが、ソフトウェアの実行によって達成される。
【００５８】
ユーザインタフェース２１は、表１および表２に示される構成と機能を達成する。
【００５９】
【表１】
0003803045.tif 000002
【００６０】
【表２】
0003803045.tif 000003
【００６１】
エキスパートシステム２２は、基本機能である定常機能２５と、見守り機能２６と、省エネルギ機能２７と、停電関連機能２８とを達成する。
【００６２】
【表３】
0003803045.tif 000004
【００６３】
表３においてＵＰＳ機能というのは、無停電機能を表す。
デバイス監視制御システム２３は、赤外線遠隔制御手段８，９を備える赤外線リモコン制御３１と、モデム１４のための制御３２との各システムを備える。さらにシミュレータ用処理手段１２は、仮想上の動作を行わせるデバイス監視制御システム３３、ネットワーク制御システム３４、仮想デバイス制御システム３５などとを備える。
【００６４】
図９は、環境制御装置２の全体制御プロセスのフローによる動作を示す図である。時計手段などのタイマ４１、電子機器などのデバイスおよびシミュレータ用処理手段１２による仮想デバイス４２、子機スイッチ１による被支援者のユーザ操作４３などは、環境制御装置２のプロセス４４に与えられる。デバイスおよび仮想デバイス４２では、各電子機器の動作状態を表す信号が出力されて環境監視制御装置２に与えられる。この環境制御装置２にはまた、共有データのデータベース４５が接続され、さらにエキスパートシステム２２が備えられる。エキスパートシステム２２の実行によって、学習演算処理が行われる。
【００６５】
本発明は、呼気スイッチ１だけでなくそのほかの構成を有する操作手段に関連して広範囲に実施することができる。
【００６６】
図１０〜図１４は、本発明の図１〜図９に示される実施の形態における操作シナリオを示す図である。これらの図１０〜図１４におけるステップであるシーン番号ａ１〜ａ３０は、表４および表５に示される動作が達成される。表４および表５においてＴＶは、テレビジョン受信動作を表す。ノートパソコンというのは、シミュレーション用処理手段１２への一例として用いられるノート形携帯用パーソナルコンピュータを表す。
【００６７】
【表４】
0003803045.tif 000005
【００６８】
【表５】
0003803045.tif 000006
【００６９】
これらの図１０〜図１４を参照して、ステップａ０では、操作シナリオの動作が開始される。先ず図１０において、ステップａ１では、画面には環境制御装置（以下ＥＣＳ）の待機画面（時計とReminder）が表示されている。ステップａ２では、操作介入が行われる。ステップａ２１では、呼気スイッチを使って操作介入する（ソフトウェア割込みを入れる）。ステップａ２２では、画面がＥＣＳ操作画面に切替り、最上位メニューに「テレビ操作」が表示される。図１８を参照。
【００７０】
ステップａ３では、テレビ（情報家電）の操作機能をデモする。ステップａ３１では、最上位メニューから「テレビ操作」を選択する。
【００７１】
ステップａ３２では、switch（テレビ電源の状態）に関して２つの場合ａ３２１，ａ３３１がある。
【００７２】
cace ＯＦＦの場合：
ステップａ３２１では、ＥＣＳがテレビ電源をＯＮにする。図２０を参照。ステップａ３２２では、画面に「チャンネル」メニューが表示される。図２２を参照。ステップａ３２３では、呼気スイッチを使ってチャンネルを変える。
ステップａ３２４では、画面がテレビ画面に切替る。
【００７３】
case ＯＮの場合：
ステップａ３３１では、テレビ電源はそのままとする。ステップａ３３２では、画面に「テレビ操作」メニューが表示される。図２０を参照。ステップａ３３３では、呼気スイッチを使ってチャンネルを変え、ボリュームを調節する。図２０および図２２を参照。ステップａ３３４では、画面がテレビ画面に切替る。
【００７４】
ステップａ４では、外線から電話がかかってくる。
ステップａ５では、外線電話への応答準備を行う。ステップａ５１では、ＥＣＳが電話を検知する。
【００７５】
ステップａ５２では、画面がＥＣＳの操作画面に変わり、画面に相手の名前が表示される。図２７を参照。ステップａ５３では、最上位メニューに「電話に出る」が表示される。
【００７６】
ステップａ６では、外線電話への応答機能をデモする。２つの場合ａ６１，ａ６５がある。
【００７７】
case 電話を取る場合：
ステップａ６１では、最上位メニューから「電話に出る」を選択する。画面がテレビ画面に切替り、音量がゼロ（消音）になる。ステップａ６２では、電話（スピーカーとマイク）で話す。
【００７８】
ステップａ６３では、電話を切る。switch（電話の切り方）について２つのときａ６３１，ａ６４１がある。図２９を参照。
【００７９】
図５を参照して、case 相手が切る場合：
ステップａ６３１では、ＥＣＳが電話の切断を検知する。図３１を参照。ステップａ６３２では、画面がテレビ画面に切替り、音量が復帰する。
【００８０】
case 自分が切る場合：
ステップａ６４１では、呼気スイッチを使って操作介入する。画面がＥＣＳ操作画面に切替り、最上位メニューに「電話を切る」が表示される。図２９を参照。ステップａ６４２では、最上位メニューから「電話を切る」を選択する。ステップａ６４３では、画面がテレビ画面に切替り、音量が復帰する。
【００８１】
case 電話を取らない場合：図２７を参照。
ステップａ６５では、電話を切る。switch（電話の切り方）について２つのときａ６５１，ａ６６１がある。
【００８２】
case 相手から切る場合：
ステップａ６５１では、ＥＣＳが電話の切断を検知する。図３１を参照。ステップａ６５２では、画面がテレビ画面に切替り、音量が復帰する。ステップａ６５３では、受電記録を残す。
【００８３】
case 相手が切らない場合：
ステップａ６６１では、ＥＣＳがタイムアウトを検出する。ステップａ６６２では、自動音声で応答してから電話を切る。図２７を参照。ステップａ６６３では、画面がテレビ画面に切替り、音声が復帰する。ステップａ６６４では、受電記録を残す。
【００８４】
ステップａ９では、テレビを見ている。図３３を参照。
ステップａ１０では、温度監視機能を行う。ステップａ１０１では、シミュレータ（ノートパソコン）側で環境温度（室温）を「××℃」に下げる。ステップａ１０２では、ＥＣＳが環境温度の低下を検知する。ステップａ１０３では、画面がＥＣＳ操作画面に切替り、画面に「室温が××℃に下がっています」が表示される。図１３を参照。ステップａ１０４では、最上位メニューに「エアコンを付ける」が表示される。図３７を参照。
【００８５】
ステップａ１１では、エアコンである空気調和装置を操作する。
ステップａ１１１では、最上位メニューから「エアコンを付ける」を選択する。図１８を参照。ステップａ１１２では、ＥＣＳがエアコンをオンにする。
ステップａ１１３では、環境温度が「××℃」に上がる。ステップａ１１４では、画面がテレビ画面に復帰する。ステップａ１２では、電力監視機能を行う。
【００８６】
図１２を参照して、ステップａ１５では、テレビを見ている。図３３を参照。
ステップａ１６では、来客への応対機能を行う。
【００８７】
ステップａ１６１では、来客が玄関先インターホンの呼鈴を押す。図３９を参照。ステップａ１６２では、ＥＣＳが来客を検知する。ステップａ１６３では、画面がＥＣＳ操作画面に切替り、画面に「来客です」が表示される。ステップａ１６４では、最上位メニューに「インターホンにつなぐ」が表示される。図４１および図４３を参照。
【００８８】
ステップａ１７では、来客への対応機能を行う。ステップａ１７１では、最上位メニューから「インターホンにつなぐ」を選択する。図１８を参照。ステップａ１７２では、画面がインターホン画面に切替る。図４３を参照。ステップａ１７３では、来客とインターホン（スピーカとマイクロホン）で話す。
【００８９】
ステップａ１８では、玄関ドアの操作機能を行う。
図１３を参照して、ステップａ２２では、テレビを見ている。図３３参照。
【００９０】
ステップａ２３では、ヘルパー対応機能を行う。ステップａ２３１では、シミュレータ（ノートパソコン）側で環境時刻を進める。ステップａ２３２では、ＥＣＳが、スケジューリング機能によってヘルパーさんの来る時間を検知する。
ステップａ２３３では、画面がＥＣＳ操作画面に切替り、画面に「間もなくヘルパーさんが来ます」が表示される。ステップａ２３４では、最上位メニューに「エアコンを２２℃で運転する」が表示される。
【００９１】
ステップａ２３５では、エアコンの設定温度を上げる。switch（ユーザ指示）による。
【００９２】
case 「エアコンを２２℃で運転する」を選択：
case タイムアウト：
ステップａ２３６では、ＥＣＳがエアコンの設定温度を２２℃に設定する。
【００９３】
case「エアコンを設定温度（１８℃）のまま運転する」を選択：
ステップａ２３７では、ＥＣＳがエアコンの設定温度をそのままにする。
【００９４】
ステップａ２４では、テレビを見ている。図３３を参照。
ステップａ２５では、無停電電源ＵＰＳ機能を行う。
【００９５】
ステップａ２５１では、シミュレータ（ノートパソコン）側で停電状態を設定する。ステップａ２５２では、ＥＣＳが停電を検知する。ステップａ２５３では、画面がＥＣＳ非常モード画面に切替り、画面に「停電しました」が表示される。図４５を参照。ステップａ２５４では、ＥＣＳが仮想エアコン等の大電力消費機器を無条件でオフにする。
【００９６】
ステップａ２６では、非常通報機能を行う。図４７を参照。
図１４を参照して、ステップａ２６１では、数分待つ。ステップａ２６２では、画面がＥＣＳ操作画面に変わり、画面に「停電が復旧しないようです」が表示される。ステップａ２６３では、最上位メニューに「非常連絡先に電話する」「もう少し様子を見る」が表示される。図４７を参照。
【００９７】
ステップａ２６４では、switch（ユーザ指示）による。３つの場合ａ２６５，ａ２６７，ａ２６８がある。
【００９８】
case「非常連絡先に電話する」を選択：
ステップａ２６５では、ＥＣＳが非常連絡先に自動的に電話を架ける。ステップａ２６６では、非常連絡先と電話（スピーカとマイクロホン）で話す。
【００９９】
case「もう少し様子を見る」を選択：
ステップａ２６７では、そのまま待機する。図４７を参照。
【０１００】
case タイムアウト：
ステップａ２６８では、ＥＣＳが非常連絡先に自動的に電話を架ける。ステップａ２６９では、ＥＣＳが自動音声にて支援要請する。
【０１０１】
ステップａ２７では、停電からの自動復旧機能を行う。ステップａ２７１では、シミュレータ（ノートパソコン）側で、ＵＰＳが停電復帰を検出すると、ステップａ２７２では、ＥＣＳが停電からの復帰を検知する。
【０１０２】
ステップａ２７３では、画面がＥＣＳ操作画面に変わり、画面に「停電から復帰しました」が表示される。図４９を参照。ステップａ２７４では、ＥＣＳが仮想家電製品（仮想エアコン等）の電源を自動的に復旧する。ステップａ２７５では、最上位メニューに「非常連絡先に電話する」が表示される。
【０１０３】
ステップａ２７６では、switch（ユーザ指示）による。２つの場合ａ２７６１，ａ２７７１がある。
【０１０４】
case「非常連絡先に電話する」を選択：
ステップａ２７６１では、ＥＣＳが非常連絡先に自動的に電話を架ける。ステップａ２７６２では、非常連絡先と電話（スピーカとマイク）で話す。
【０１０５】
case タイムアウト：
ステップａ２７７１では、ＥＣＳが非常連絡先に自動的に電話を架ける。ステップａ２７７２では、ＥＣＳが自動音声にて停電復帰を連絡する。
【０１０６】
ステップａ２８では、行動パターン学習機能を行う。ステップａ２８１では、シミュレータ（ノートパソコン）側で環境時刻を無理矢理夜半に設定する（進める）。
【０１０７】
ステップａ２９では、行動パターン学習機能をデモする。ステップａ２９１では、呼気スイッチ１を使って操作介入する。ステップａ２９２では、画面がＥＣＳ操作画面に変わり、最上位メニューに「就寝する」が表示される。図１８（２）を参照。
【０１０８】
ステップａ３０では、行動パターン学習機能をデモする。
ステップａ３０１では、最上位メニューから「就寝する」を選択する。図１８（２）を参照。
【０１０９】
ステップａ３０２では、ＥＣＳが自動的にテレビ、照明の電源をオフにし、画面がＥＣＳ待機画面に切替る。
【０１１０】
図１５は、環境制御装置２によって達成される対話処理メニューの動作を説明するための階層構造を示す図である。この図１５の画面は、表示手段６によって表示される。
【０１１１】
図１６は、携帯電話７１の小形の表示手段７３によって表示される画像を示す。この携帯電話７１ａの表示手段７３によって表示される画像は、図１５の表示手段６による画面の画像５１〜６４の参照符に、添え字ａを付して対応関係を示す。たとえば表示手段６によって図１５の画像５１が表示されている状態では、携帯電話７１ａの表示手段７３には、図１６の画像５１ａが表示され、また同様に表示手段６によって図１５の画像５３，５４がそれぞれ表示されている状態では、携帯電話７１ａの表示手段７３には、画像５３ａ，５４ａがそれぞれ表示される。
【０１１２】
携帯電話７１ａの表示手段７３は、小形液晶モニタであり、その比較的小さい表示領域内にメニューの内容を表示することを可能にする。前述の図３に示すとおり、固定式スイッチ（メニュー選択）を使用する場合は、表示装置６としてたとえば１５インチ液晶モニタ（メニュー表示）等を利用できるため、任意の文章表現を用いた自由度の高いメニュー画面を表示することが可能であるが、ハイパリモコン（メニュー表示／選択）７１の場合は図３に示すような小さな液晶モニタ（多くは８桁×１０行程度）７３上にメニュー画面を表示する必要があるので、１５インチ液晶モニタ６の場合と同じメニュー画面をそのまま表示することはできない。
【０１１３】
次世代環境制御装置２では、図１６および後述の図１９、図２１、図２３、図２４、…などに示すとおり、入力スイッチの種類（固定式スイッチ／ハイパリモコン７１）に応じて図１５と図１６との合計２種類のメニュー画面を提供することで、この問題を解決している。
【０１１４】
ハイパリモコン７１用のメニュー画面７３は、１５インチ液晶モニタ６用のメニュー画面を以下の原則に従って短縮したものである。
（１）助詞、助動詞を省略する。
（２）全角カタカナを半角カタカナで置換える。
（３）それでも８桁以内に短縮できない場合は言い回しを変える。
【０１１５】
メニュー画面の生成方式
次世代環境制御装置２では、図６に示す構成によって固定式スイッチとハイパリモコン７１からの入力を処理するため、特定の入力がどちらの経路から与えられたものであるかを識別できる。すなわち、固定式スイッチから入力が与えられた場合は１５インチ液晶モニタ６用のメニュー画面（省略なし）を、ハイパリモコン７１から入力が与えられた場合はハイパリモコン７１用のメニュー画面（省略版）７３を生成して表示する。
【０１１６】
ハイパリモコン７１のメニュー画面７３
▲１▼ｉモード対応携帯電話７１ａ、▲２▼ブラウザホン（ＰＨＳ）７１ｂ、▲３▼ＰＤＡ（情報端末装置）７１ｃを利用して実現されるハイパリモコン７１のメニュー画面７３を、図面を参照して後述する。
【０１１７】
呼気スイッチ１、押ボタンスイッチ７６、握り締めスイッチ７７およびひも式スイッチ８０などを含む固定式スイッチと、ハイパリモコン７１との両者によって家電機器を制御するために、▲１▼ｉモード対応携帯電話７１ａ、▲２▼ブラウザホン（ＰＨＳ）７１ｂ、▲３▼ＰＤＡ（情報端末装置）７１ｃを利用して実現されるハイパリモコン７１を使って家電機器を制御することが可能となる。ところが、環境制御装置２がサポートすべき障害者の障害程度は多岐にわたっているので、ハイパリモコン７１のように持運び可能な入力スイッチを使って全ての家電機器を操作できると同時に、▲１▼呼吸気式スイッチ１、▲２▼押ボタン式スイッチ７６、▲３▼ひも式スイッチ８０、▲４▼握り締め式スイッチ７７といった固定式の入力スイッチからも操作できるようにしておく必要がある。
【０１１８】
次世代環境制御装置２では、図６に示す構成により、全ての家電機器を固定式スイッチ（たとえば呼吸気式スイッチ１、押ボタン式スイッチ７６、ひも式スイッチ８０、握り締め式スイッチ７７）とハイパリモコン７１（ｉモード対応携帯電話７１ａ、ブラウザホン７１ｂ、ＰＤＡ７１ｃ）のいずれでも操作することができる。図６を参照して、具体的には以下のとおり述べる。
【０１１９】
（１）固定式スイッチからの入力は、ＰＳ／２ポートなどのシリアルポートから、入力ハンドラ・ソフトウェア１１１を介して、環境制御装置管理ソフトウェア９８に送信される。呼気スイッチ１などの前述の固定式スイッチは、１入力方式と２入力方式の別があるものの、基本的に接点スイッチとして実現されているので、環境制御装置２側から見た場合、ソフトウェア的には全く同じものとして扱われる。
（２）一方、ハイパリモコン７１からの入力はインタネットを通じて「ＷＷＷサーバ・ソフトウェア９５に送信される。しかるに後に、メニューを選択したという事実が、ＣＧＩソフトウェア９６を介して、環境制御装置管理ソフトウェア９８に送信される。
（３）図６の構成により、固定式スイッチとハイパリモコン７１とのどちらの経路から入力が与えられた場合でも、環境制御装置管理ソフトウェア９８から見ればソフトウェア的に全く等価に扱うことができるので、結果的に１台の環境制御装置を固定式スイッチとハイパリモコン７１のいずれでも操作可能となる。
【０１２０】
図１７は、ハイパリモコン７１の構成と、その動作を説明するための処理フローを示す図である。トップメニューは、基本メニューと称することがある。図１７およびそのほかの後述の処理フローの図において、白丸印および２重丸印は、各動作ステップを示し、白丸中の矢印は、動作を繰返すステップを示し、白丸中の三角印は、動作の実行を示す。
【０１２１】
図１５の初期メニューの表示手段６による画面の画像５１には、ＥＣＳ待機画面およびリマインダによる被呼者の電話番号およびヘルパ訪問の日程などが表示される。このような初期画像５１を、被支援者が見ることによって、予定の把握などを行うことができる。初期画像５１に、図１８（１）および図１８（２）に示される昼間用トップメニューの画像５３および深夜用トップメニューの画像５４が表示される。昼間用トップメニューの画像５３に関連して、電話操作５５、インターホン操作５６、テレビ操作５７、リマインダ（メモ）操作５８、空気調和装置であるエアコン操作５９およびその他の機器操作６０の各画像が表示される。
【０１２２】
電話操作５５の画面に関連して、電話機からダイアルする画像６１、リマインダからダイアルする画像６２、電話番号でダイアルする画像６３が表示される。テレビ操作の画像５７に関連してチャンネル切替えメニューの画像６４が表示される。
【０１２３】
図１０〜図１４の操作シナリオにおける図１８〜図５０の画像の内容は、事象であるイベント対応メニューと対話処理メニューとに対応して、次のように示されている。
【０１２４】
【表６】
0003803045.tif 000007
【０１２５】
【表７】
0003803045.tif 000008
前述の図１５の画像５１〜６４は、図１６の画像５１ａ〜６４ａにそれぞれ対応しており、図１５の画像のいくつかの拡大図および携帯電話７１ａの正面図は、表８のように示される。
【表８】
0003803045.tif 000009
さらに表示手段６の画像と、それに対応する携帯電話７１ａの正面図とは、表９のとおりである。
【表９】
0003803045.tif 000010
【０１２６】
図１８は、昼間用および夜間用のトップメニューの画像を示す図である。図２０は、「テレビ操作」メニューの画像を示す図である。図２２は、「チャンネル切替え」メニューを示す画像である。図２７は、電話着信イベント対応メニューの画像を示す図である。図２９は、操作介入イベント（電話中）対応メニューの画像を示す図である。図３１は、電話切断イベント対応メニューの画像を示す図である。図３３は、操作介入イベント（ＴＶ視聴中）対応メニューの画像を示す図である。図３５は、空気調和装置による温度警告イベント対応メニューの画像を示す図である。図３７は、空気調和装置である「エアコン操作」メニューの画像を示す図である。図３９は、インターホン呼鈴イベント対応メニューの画像を示す図である。図４１は、「インターホン操作」メニューの画像を示す図である。図４３は、操作介入インターホン（インターホン通話中）対応メニューの画像を示す図である。図４５は、停電イベント対応メニューの画像を示す図である。図４７は、非常通報イベント対応メニューの画像を示す図である。図４９は、停電イベント対応メニューの画像を示す図である。表示手段６の画像に対応して、携帯電話７１ａの表示手段７３は、前述の表８および表９のとおりに示される。
【０１２７】
図１９（１）を参照して、携帯電話７１ａには、数字０，１，２，…，９を示す合計１０個の置数キー１１３が、表示手段７３の下方に配置される。表示手段７３の上方にはスピーカ１１４が設けられ、置数キー１１３の下方にはマイクロホン１１５が設けられる。置数キー１１３を含む操作手段１１６を操作してダイヤル発信を行い、電話通信を行うことができる。
【０１２８】
表示手段７３において、複数の電子機器名／動作名１１７と、各動作名１１７に対応する矩形で囲まれた数字の中のキャラクタ１１８が右および左に対応して隣接して配置される。キャラクタ１１８は、置数キー１１３の数字に対応する。被支援者であるユーザは、動作名１１７を見て、そのキャラクタ１１８を確認し、そのキャラクタが表す数字を有する置数キー１１３を押圧操作する。これによって表示手段７３の比較的小さい１画面中の表示領域に、多くの内容を、見やすく表示することができるようになる。
【０１２９】
表示手段７３と、置数キー１１３を含む操作手段１１６との間には、もう１つの操作手段１２１が配置される。この操作手段１２１は、上シフトキー１２２と、その下方に配置される下シフトキー１２３と、これらのシフトキー１２２，１２３の間に配置される決定ボタン１２４とを含む。操作手段１１６，１２１は、本発明の操作部１２５を構成する。上下のシフトキー１２２，１２３は、操作のたびに、各動作１１７とキャラクタ１１８との組合せを、図１９（１）の上方に順次的に、または下方に順次的に１つずつ選択しながら、表示態様を変化し、こうして選択方向を正逆に切換えて選択操作を行うことができる。決定ボタン１２４は、選択された組合せを、押圧操作によって決定する。
【０１３０】
テレビジョン受信機４ｆによるテレビジョン放送のチャンネルの変更選択のための構成と動作を述べる。被支援者が携帯電話７１の操作部１２５の操作回数をできるだけ少なくするために、本発明では、ｉモード対応携帯電話でＷＷＷページ（ホームページ）を閲覧する場合、ＷＷＷページに埋め込まれたハイパリンクを選択するとそのＵＲＬ（Ｕｎｉｖｅｒｓａｌ  Ｒｅｓｏｕｒｃｅ  Ｌｏｃａｔｏｒ）で指定されたＷＷＷページにジャンプするようになっている。▲１▼ｉモード対応携帯電話７１ａ、▲２▼ブラウザホン（ＰＨＳ）７１ｂ、▲３▼ＰＤＡ（情報端末装置）７１ｃを利用して実現されるハイパリモコン７１の場合も基本的にはこの原則に従って動作するが、この方法だとメニュを選択するたびにメニュ画面が切替わってしまうため、図２４に示す「チャンネル変更」の場合などに問題となる。
【０１３１】
赤外線リモコンを使ってテレビのチャンネルを切替える場合、見たい番組が予め決まっている場合はともかく、それでない場合には、チャンネルを次々に切替えながら見たい番組を探す。赤外線リモコンの場合は、それぞれのチャンネルに対応するボタンがリモコン上に配置されているので、こういった使い方がごく当り前にできるが、ハイパリモコン７１のメニュー画面で同じ使い方を実現するには、図２４に示す「チャンネル変更」メニューでチャンネルを選択しても別のメニュー画面に切替わらず、ジャンプせず、再び同じメニュ画面を表示する必要がある。
【０１３２】
次世代環境制御装置２では、各メニューに状態遷移表を対応付けることでこの問題を解決している。具体的には図２４のメニュー画面に対して表１０に示す状態遷移表を対応付けておくことにより、たとえば図２４のメニュー画面で「［２］ＮＨＫ総合」が選択された場合は、「チャンネルをＮＨＫ総合に切替える」という実際の機器制御を行った後に再び自画面（この場合は図２４の「チャンネル変更」メニュー）が表示され、続けて別のチャンネルを選択することが可能となる。
【０１３３】
環境制御装置２は、表１０に示されるアクション実行後の状態遷移を示す。
【０１３４】
【表１０】
0003803045.tif 000011
【０１３５】
テレビジョン放送のチャンネル変更時、図２３に示されるように携帯電話７１ａには、各チャンネル名と、その左方にチャンネル名に対応するキャラクタである数字が配置されて各組合せが表示される。
【０１３６】
被支援者は、上シフトキー１２２または下シフトキー１２３を押圧操作することによって、各組合せの表示態様が各組合せ毎に変化して図２４の上下にシフトする。たとえば仮想線１２７によって、ＮＨＫ総合のチャンネル名と［２］である数字のキャラクタとの組合せが、網がけ表示され、残余の組合せは網がけされていない表示状態のままに保たれる。このような表示態様の変化を行う。表示態様は、色が変化されるように構成されてもよく、あるいはまた白黒反転表示を行うようにしてもよく、そのほかの態様で表示されてもよく、たとえば矢印などがシフトして１つの組合せを指示して表示態様を変化するようにしてもよい。こうして選択された網がけ表示の組合せを、決定ボタン１２４の操作によって決定する。
【０１３７】
このようなチャンネルの選択のために、置数キー１１３が、チャンネル名に対応した数字で入力操作し、決定するようにしてもよい。
【０１３８】
図２５は、携帯電話７１ａから与えられる信号によって環境制御装置２が動作する手順を示すフローチャートである。ステップｕ１からステップｕ２に移り、テレビジョン放送のチャンネル設定のために置数キー１１３が操作されると、次のステップｕ３においてチャンネルが決定され、こうしてステップｕ４では、一連の動作を終了し、テレビジョン受信機４ｆは、決定されたチャンネルの放送を受信する。
【０１３９】
ステップｕ２からステップｕ５に移り、置数キー１１３が操作されず、チャンネルの順次選択を行うシフトキー１２２または１２３が操作されると、ステップｕ６では、前述の仮想線１２７で示されるように、その組合せの表示態様をたとえば網がけとして残余の組合せとは異なるように変化する。ステップｕ７において決定キー１２４が操作されると、その決定されたチャンネル、たとえば前述のＮＨＫ総合の放送が、テレビジョン受信機４ｆにおいて受信される。
【０１４０】
図２６は、環境制御装置２のチャンネル変更時の状態遷移を示す図であり、この図２６に前述の一連の動作を流れ図で示す。この動作により、メニュの操作回数が最小化され、専用の赤外線リモコンに優る操作性を実現できる。
【０１４１】
表示手段６の表示状態と、そのときの携帯電話７１ａの表示手段７３の内容は、照明操作メニューに関して図５１および図５２に示され、電動ベッド操作メニューに関して図５３および図５４に示され、リマインダ操作メニューに関して、図５５および図５６に示され、ＣＤ（コンパクトディスク）ラジカセ（ラジオカセットテープレコーダ）操作の基本メニューに関して図５７および図５８にそれぞれ示される。これらの図５１〜図５８を参照すれば、比較的広い表示領域を有する表示手段６と、比較的小さい表示領域を有する携帯電話７１ａの表示手段７３とによって、被支援者であるユーザに的確なメニュー内容を表示して提供することができることが判る。
【０１４２】
図５９〜図６６は、環境制御装置２の対話処理フローの動作を説明するための図である。先ず図５９のように、ステップｂ０では、環境制御装置の対話処理フローが開始される。
【０１４３】
ステップｂ１では、表示装置の状態を待避する。
ステップｂ２では、表示装置の画面をＥＣＳ操作画面にする。
【０１４４】
ステップｂ３では、画面スタックにメニュー画面を待避させる。
ステップｂ４では、エキスパートシステムに問合せ、最適化された画面オブジェクトを取得する。
【０１４５】
ステップｂ５では、画面オブジェクトに基づきメニュー画面を表示する。
ステップｂ６では、for（戻るが選択されるまで）、次の動作が行われる。ステップｂ６１では、ユーザ指示に基づき下位メニューに遷移する。
switch（メニューの選択結果）による。
【０１４６】
case「電話操作」が選択された場合：
ステップｂ６１１では、画面スタックにメニュー画面を待避させる。ステップｂ６１２では、エキスパートシステムに問合せ、最適化された画面オブジェクトを取得する。ステップｂ６１３では、画面オブジェクトに基づきメニュー画面を表示する。
【０１４７】
ステップｂ６１４では、for（戻るが入力されるまで）、次の動作が行われる。ステップｂ６１４１では、ユーザ指示に基づき下位メニューに遷移する。
switch（メニューの選択結果）による。
【０１４８】
case「電話帳からダイヤルする」が選択された場合：
ステップｃ１では、画面スタックにメニュー画面を待避させる。
【０１４９】
ステップｃ２では、電話帳から電話番号一覧を取得する。
ステップｃ３では、電話番号一覧に基づきメニュー画面を表示する。
【０１５０】
ステップｃ４では、ユーザ指示に基づき電話を架ける。
switch（メニューの選択結果）
【０１５１】
ca se「電話番号１」が選択された場合：
ステップｃ４１では、選択された電話番号に電話を架ける。ステップｃ４２では、相手先と通話する。ステップｃ４３では、電話を切る。
【０１５２】
case 「戻る」が選択された場合：
ステップｃ４４では、何もしない。
ステップｃ５では、画面スタックからメニュー画面を復帰させる。
【０１５３】
case「リマインダからダイヤルする」が選択された場合：
ステップｃ６では、画面スタックにメニュー画面を待避させる。ステップｃ７では、リマインダから電話番号一覧を取得する。ステップｃ８では、電話番号一覧に基づきメニュー画面を表示する。
【０１５４】
図６０を参照して、ステップｃ９では、ユーザ指示に基づき電話を架ける。
switch（メニューの選択結果）による。
【０１５５】
case「電話番号１」が選択された場合：
ステップｃ９１では、選択された電話番号に電話を架ける。ステップｃ９２では、相手先と通話する。ステップｃ９３では、電話を切る。
【０１５６】
case「戻る」が選択された場合：
ステップｃ９４では、何もしない。
ステップｃ１０では、画面スタックからメニュー画面を復帰させる。
【０１５７】
case「電話番号でダイヤルする」が選択された場合：
ステップｃ１０１では、画面スタックにメニュー画面を待避させる。ステップｃ１０２では、テンキー形式の入力画面を表示する。ステップｃ１０３では、入力された電話番号に電話を架ける。ステップｃ１０４では、相手先と通話する。ステップｃ１０５では、電話を切る。ステップｃ１０６では、画面スタックからメニュー画面を復帰させる。
【０１５８】
case「戻る」が選択された場合：
ステップｃ１０７では、何もしない。
break ２
【０１５９】
ステップｂ６１４２では、画面スタックからメニュー画面を復帰させる。
case「インターホン操作」が選択された場合：
ステップｂ６２１では、画面スタックにメニュー画面を待避させる。ステップｂ６２２では、エキスパートシステムに問合せ、最適化された画面オブジェクトを取得する。
【０１６０】
ステップｂ６２３では、画面オブジェクトに基づきメニュー画面を表示する。
ステップｂ６２４では、for（戻るが入力されるまで）
ステップｂ６２４１では、ユーザ指示に基づき下位メニューに遷移する。
switch（メニューの選択結果）による。
【０１６１】
case「インターホンをつなぐ」が選択された場合：
ステップｄ１では、表示装置の画面をインターホン画面に切替える。
【０１６２】
ステップｄ２では、インターホンと接続する。
ステップｄ３では、インターホンで通話する。
【０１６３】
図６１を参照して、ステップｄ４では、インターホンを切る。ステップｄ５では、表示装置の画面をＥＣＳ操作画面に切替える。
【０１６４】
case 「インターホンを切る」が選択された場合：
ステップｄ６では、インターホンを切る。
【０１６５】
case「玄関ドアを施錠する」が選択された場合：
ステップｄ７では、玄関ドアを施錠する。
【０１６６】
case「玄関ドアを解錠する」が選択された場合：
ステップｄ８では、玄関ドアを解錠する。
【０１６７】
case「戻る」が選択された場合：
ステップｄ９では、何もしない。
break ２
【０１６８】
ステップｂ６２５では、画面スタックからメニュー画面を復帰させる。
case「テレビ操作」が選択された場合：
ステップｂ６３１では、画面スタックにメニュー画面を待避させる。
【０１６９】
ステップｂ６３２では、エキスパートシステムに問合せ、最適化された画面オブジェクトを取得する。ステップｂ６３３では、画面オブジェクトに基づきメニュー画面を表示する。
【０１７０】
ステップｂ６３４では、for（戻るが入力されるまで）、次の動作が行われる。
【０１７１】
ステップｂ６３４１では、ユーザ指示に基づき下位メニューに遷移する。
switch（メニューの選択結果）による。
【０１７２】
case「チャンネル切替え」が選択された場合：
ステップｅ１では、画面スタックにメニュー画面を待避させる。ステップｅ２では、エキスパートシステムに問合せ、最適化された画面オブジェクトを取得する。ステップｅ３では、画面オブジェクトに基づきメニュー画面を表示する。
ステップｅ４では、ユーザ指示に基づきチャンネルを切替える。
switch（メニューの選択結果）による。
【０１７３】
case「２：ＮＨＫ総合」が選択された場合など：
図６２を参照して、ステップｆ１では、表示装置の画面をテレビ画面に切替える。ステップｆ２では、画面スタックから不要なメニュー画面を削除する。ステップｆ３では、イベント待ちモードに遷移する。
return
【０１７４】
case「戻る」が入力された場合：
ステップｆ４では、何もしない。
ステップｅ５では、画面スタックからメニュー画面を復帰させる。
【０１７５】
case「音を大きくする」が選択された場合：
ステップｅ６では、表示装置の画面をテレビ画面に切替える。ステップｅ７では、表示装置の音量を「ララ」だけ上げる。ステップｅ８では、画面スタックから不要なメニュー画面を削除する。ステップｅ９では、イベント待ちモードに遷移する。
return
【０１７６】
case「音を小さくする」が選択された場合：
ステップｅ１０では、表示装置の画面をテレビ画面に切替える。ステップｅ１１では、表示装置の音量を「ララ」だけ下げる。ステップｅ１２では、画面スタックから不要なメニュー画面を削除する。ステップｅ１３では、イベント待ちモードに遷移する。
return
【０１７７】
case「テレビを消す」が選択された場合：
ステップｅ１４では、表示装置の画面をテレビ画面に切替える。ステップｅ１５では、表示装置の電源をＯＦＦにする。ステップｅ１６では、画面スタックから不要なメニュー画面を削除する。ステップｅ１７では、イベント待ちモードに遷移する。
return
【０１７８】
case「消音」が選択された場合：
ステップｅ１８では、表示装置の画面をテレビ画面に切替える。ステップｅ１９では、表示装置の音量を「消音」にする。ステップｅ２０では、画面スタックから不要なメニュー画面を削除する。ステップｅ２１では、イベント待ちモードに遷移する。
return
【０１７９】
case「戻る」が選択された場合：
図６３を参照して、ステップｅ２２では、何もしない。
break ２
【０１８０】
ステップｂ６３５では、画面スタックからメニュー画面を復帰させる。
case「リマインダ操作」が選択された場合：
ステップｂ６４１では、画面スタックにメニュー画面を待避させる。ステップｂ６４２では、エキスパートシステムに問合せ、最適化された画面オブジェクトを取得する。ステップｂ６４３では、画面オブジェクトに基づきメニュー画面を表示する。
【０１８１】
ステップｂ６４４では、for（戻るが入力されるまで）、次の動作が行われる。
【０１８２】
ステップｂ６４４１では、ユーザ指示に基づき下位メニューに遷移する。
switch（メニューの選択結果）による。
【０１８３】
case「会話録音を再生する」が選択された場合：
ステップｇ１では、画面スタックにメニュー画面を待避させる。ステップｇ２では、リマインダから会話録音一覧を取得する。ステップｇ３では、会話録音一覧に基づき、メニュー画面を表示する。ステップｇ４では、for（戻るが選択されるまで）、次の動作が行われる。
【０１８４】
ステップｇ４１では、ユーザ指示に会話録音を再生する。
switch（メニューの選択結果）による。
【０１８５】
case「会話録音１」が選択された場合：
ステップｇ４１１では、選択された会話録音を再生する。
【０１８６】
case「戻る」が選択された場合：
ステップｇ４１２では、何もしない。
break ２
【０１８７】
ステップｇ４２では、画面スタックからメニュー画面を復帰させる。
case「メッセージを開く」が選択された場合：
ステップｇ４３では、画面スタックにメニュー画面を待避させる。ステップｇ４４では、リマインダからメッセージ一覧を取得する。ステップｇ４５では、メッセージ一覧に基づきメニュー画面を表示する。
【０１８８】
ステップｇ４６では、for（戻るが選択されるまで）、次の動作が行われる
ステップｇ４６１では、ユーザ指示にメッセージを表示する。
switch（メニューの選択結果）による。
【０１８９】
case「メッセージ１」が選択された場合：
図６４を参照して、ステップｇ４６１１では、選択されたメッセージを表示する。
【０１９０】
case「戻る」が選択された場合：
ステップｇ４６１２では、何もしない。
break ２
【０１９１】
ステップｇ４６１３では、画面スタックからメニュー画面を復帰させる。
case「戻る」が選択された場合：
ステップｇ４６１４では、何もしない。
break ２
【０１９２】
ステップｂ６４５では、画面スタックからメニュー画面を復帰させる。
case「エアコン操作」が選択された場合：
ステップｂ６５１では、画面スタックにメニュー画面を待避させる。ステップｂ６５２では、エキスパートシステムに問合せ、最適化された画面オブジェクトを取得する。ステップｂ６５３では、画面オブジェクトに基づきメニュー画面を表示する。
【０１９３】
ステップｂ６５４では、for（戻るが入力されるまで）、次の動作が行われる。ステップｂ６５４１では、ユーザ指示に基づき下位メニューに遷移する。
switch（メニューの選択結果）
【０１９４】
case「エアコンを付ける」が選択された場合：
ステップｈ１では、エアコンの電源をＯＮにする。
【０１９５】
case「エアコンを切る」が選択された場合：
ステップｈ２では、エアコンの電源をＯＦＦにする。
【０１９６】
case「エアコンの設定温度を変更する」が選択された場合：
ステップｈ３では、画面スタックにメニュー画面を待避させる。
【０１９７】
ステップｈ４では、テンキー形の入力画面を表示する。
ステップｈ５では、エアコンの設定温度を変更する。
ステップｈ６では、画面スタックからメニュー画面を復帰させる。
【０１９８】
case「冷房モードにする」が選択された場合：
ステップｈ７では、エアコンを冷房モードにする。
【０１９９】
case「暖房モードにする」が選択された場合：
ステップｈ８では、エアコンを暖房モードにする。
【０２００】
case「除湿モードにする」が選択された場合：
図６５を参照して、ステップｈ９では、エアコンを除湿モードにする。
【０２０１】
case「戻る」が選択された場合：
ステップｈ１０では、何もしない。
break ２
【０２０２】
ステップｂ６５５では、画面スタックからメニュー画面を復帰させる。
case「その他の機器操作」が選択された場合：
ステップｂ６６１では、画面スタックにメニュー画面を待避させる。
【０２０３】
ステップｂ６６２では、エキスパートシステムに問合せ、最適化された画面オブジェクトを取得する。
【０２０４】
ステップｂ６６３では、画面オブジェクトに基づきメニュー画面を表示する。ステップｂ６６４では、for（戻るが入力されるまで）、次の動作が行われる。
ステップｂ６６４１では、ユーザ指示に基づき下位メニューに遷移する。
switch（メニューの選択結果）
【０２０５】
case「ドライヤー操作」が選択された場合：
ステップｉ１では、画面スタックにメニュー画面を待避させる。ステップｉ２では、エキスパートシステムに問合せ、最適化された画面オブジェクトを取得する。ステップｉ３では、画面オブジェクトに基づきメニュー画面を表示する。
【０２０６】
ステップｉ４では、for（戻るが選択されるまで）、次の動作が行われる。
ステップｉ４１では、ユーザ指示に会話録音を再生する。
switch（メニューの選択結果）
【０２０７】
case「機器操作１」が選択された場合：
ステップｉ４２では、選択された機器操作を行う。
【０２０８】
case「戻る」が選択された場合：
ステップｉ４３では、何もしない。
break ２
【０２０９】
ステップｉ５では、画面スタックからメニュー画面を復帰させる。
case「戻る」が選択された場合：
ステップｉ６では、何もしない。
break ２
【０２１０】
ステップｂ６６５では、画面スタックからメニュー画面を復帰させる。
図６６を参照して、case「戻る」が選択された場合：
ステップｂ６６５１では、何もしない。
break ２
【０２１１】
ステップｂ７では、画面スタックからメニュー画面を復帰させる。
図６７〜図７０は、環境制御装置２のイベント処理ループを示す図である。ステップｑ０からステップｑ１に進み、発生したイベントに応じて情報家電（ハードウエア）を監視・制御する。
【０２１２】
ステップｑ１１では、スイッチによるイベントの種類を判断する。電話着信イベントであるとき、ステップｑ１１１では、エキスパートシステムに問合せ、最適化された画面オブジェクトを取得する。ステップｑ１１２では、画面オブジェクトに基づきメニュー画面を表示する。ステップｑ１１３では、ユーザ指示に基づき電話に応答する。スイッチによるメニューの選択結果において「電話に出る」が選択された場合、ステップｒ１では、表示装置の画面をテレビ画面に切替え、音量をゼロ（消音）にする。ステップｒ２では、通話を接続する。「電話を無視する」が選択された場合、ステップｒ３では、相手先が電話を切るか、タイムアウトを待って通話を切断する。「留守応答をする」が選択された場合、およびタイムアウトになった場合、ステップｒ４では、通話を接続する。ステップｒ５では、自動音声にて留守応答する。ステップｒ６では、相手先からの伝言メッセージを自動録音する。ステップｒ７では、相手先が電話を切るか、タイムアウトを待って通話を切断する。ステップｒ８では、リマインダに通話記録を残す。ステップｑ１１４では、表示装置の画面・音量を直前の状態に復帰させる。
【０２１３】
電話切断イベントであるとき、ステップｑ１２１では、エキスパートシステムに問合せ、最適化された画面オブジェクトを取得する。ステップｑ１２２では、画面オブジェクトに基づきメニュー画面を表示する。ステップｑ１２３では、ユーザ指示に基づき電話の後処理を行う。スイッチによるメニューの選択結果において「了解」が選択された場合、およびタイムアウトになった場合、ステップｒ９では、通話録音中の場合は自動録音を終了する。ステップｑ１２４では、表示装置の画面・音量を直前の自動録音に復帰させる。
【０２１４】
インターホン呼鈴イベントであるとき、ステップｑ１３１では、エキスパートシステムに問合せ、最適化された画面オブジェクトを取得する。ステップｑ１３２では、画面オブジェクトに基づきメニュー画面を表示する。ステップｑ１３３では、ユーザ指示に基づきインターホンに応答する。
【０２１５】
図６８を参照して、スイッチによるメニューの選択結果において「インターホンに出る」が選択された場合、ステップｒ１１では、表示装置の画面をインターホン画面に切替える。ステップｒ１２では、インターホンとの通話を接続する。「留守応答をする」が選択された場合、およびタイムアウトになった場合、ステップｒ１３ではインターホンとの通話を接続する。ステップｒ１４では、自動音声にて留守応答する。ステップｒ１５では、来客の伝言メッセージを自動録音する。ステップｒ１６では、インターホンとの通話を切断する。ステップｒ１７では、リマインダに来客記録を残す。ステップｑ１３４では、表示装置の画面・音量を直前の状態に復帰させる。
【０２１６】
インターホン切断イベントであるとき、ステップｑ１４１では、エキスパートシステムに問合せ、最適化された画面オブジェクトを取得する。ステップｑ１４２では、画面オブジェクトに基づきメニュー画面を表示する。ステップｑ１４３では、ユーザ指示に基づきインターホン通話の後処理を行う。スイッチによるメニューの選択結果において「了解」が選択された場合、およびタイムアウトになった場合、ステップｒ１８では、通話録音中の場合は自動録音を終了する。ステップｑ１４４では、表示装置の画面・音量を直前の状態に復帰させる。
【０２１７】
電気錠施錠忘れイベントであるとき、また、動作が行われる。
図６９を参照して、停電イベントであるとき、ステップｑ１５１では、エキスパートシステムに問合せ、最適化された画面オブジェクトを取得する。ステップｑ１５２では、画面オブジェクトに基づきメニュー画面を表示する。ステップｑ１５３では、停電を報告する。スイッチによるメニューの選択結果において「戻る」が選択された場合、およびタイムアウトになった場合、ステップｒ２１では何もしない。ステップｑ１５４では、表示装置の画面・音量を直前の状態に復帰させる。
【０２１８】
復電イベントであるとき、ステップｑ１６１では、エキスパートシステムに問合せ、最適化された画面オブジェクトを取得する。ステップｑ１６２では、画面オブジェクトに基づきメニュー画面を表示する。ステップｑ１６３では、ユーザ指示に基づき復電時の対策をする。スイッチによるメニューの選択結果において「非常連絡先に電話する」が選択された場合、ステップｒ２２では、非常連絡先に電話する。ステップｒ２３では、自動音声にて復電した旨を報告する。ステップｒ２４では、電話を切る。「戻る」が選択された場合、ステップｒ２５では何もしない。
【０２１９】
非常通報イベントであるとき、ステップｑ１７１では、エキスパートシステムに問合せ、最適化された画面オブジェクトを取得する。ステップｑ１７２では、画面オブジェクトに基づきメニュー画面を表示する。ステップｑ１７３では、ユーザ指示に基づき非常通報を行う。スイッチによるメニューの選択結果において「非常連絡先に電話する」が選択された場合、ステップｒ２６では、非常連絡先に電話する。ステップｒ２７では、自動音声にて停電が復旧しない旨を報告する。ステップｒ２８では、電話を切る。「もう少し様子を見る」が選択された場合、および「戻る」が選択された場合、ステップｒ２９では何もしない。ステップｑ１７４では、表示装置の画面・音量を直前の状態に復帰させる。
【０２２０】
電力超過イベントであるとき、また、動作が行われる。
図７０を参照して、温度警告イベントであるとき、ステップｑ１８１では、エキスパートシステムに問合せ、最適化された画面オブジェクトを取得する。ステップｑ１８２では、画面オブジェクトに基づきメニュー画面を表示する。ステップｑ１８３では、ユーザ指示に基づき温度警告への対応を行う。スイッチによるメニューの選択結果において「エアコンをＯＮにする」が選択された場合、ステップｒ３１では、仮想エアコン（シミュレータ）に電源をＯＮにするよう指示する。「エアコンを通常モードにする」が選択された場合の動作が行われる。
【０２２１】
リマインダ・プロセスによるリマインダ・イベントであるときの動作が行われる。
【０２２２】
図７１および図７２は、環境制御装置２のエキスパートシステム２２によって達成されるエキスパートシステムプロセスの処理フローを示す図である。図７１を参照して、ステップｍ０では、エキスパートシステム・プロセスの処理フローを開始する。ステップｍ１では、ＥＣＳプロセス／見守りプロセスからの要求に応じてメニュー（コマンドリスト）の最適化／日常逸脱検知を行う。
for（他プロセスからの要求を待つ）
【０２２３】
ステップｍ２では、要求の種類を実行する。
ステップｍ３では、switch（メニューの種類）
【０２２４】
case「チャンネル切替え」メニュー：
ステップｍ４では、過去のチャンネル切替え履歴を取得する。ステップｍ５では、過去のチャンネル切替えの曜日／時刻などを参考にしてチャンネルの優先度を計算する。
ステップｍ６では、最適化したメニュー（画面オブジェクト）を返却する。
【０２２５】
case「電力超過イベント」対応メニュー：
ステップｍ７では、仮想デバイスの状態を取得する。ステップｍ８では、各機器の現在の稼動状態とスペックにより節電操作可能な機器候補を判断、過去の機器稼動パターンの分析結果に基づき節電機器の優先度を計算する。
ステップｍ９では、最適化したメニュー（画面オブジェクト）を返却する。
【０２２６】
case「電力超過解消イベント」対応メニュー：
ステップｍ１０では、仮想デバイスの状態を取得する。ステップｍ１１では、各機器の現在の稼動状態とスペックにより節電操作可能な機器候補を判断、過去の機器稼動パターンの分析結果に基づき節電機器の優先度を計算する。ステップｍ１２では、最適化したメニュー（画面オブジェクト）を返却する。
【０２２７】
case「電話帳からダイヤルする」メニュー：
ステップｍ１３では、過去のダイヤル履歴を取得する。ステップｍ１４では、過去にダイヤルした相手の分析結果に基づき電話番号の候補を推定する。ステップｍ１５では、最適化したメニュー（画面オブジェクト）を返却する。
【０２２８】
case「リマインダからダイヤルする」メニュー：
ステップｍ１６では、過去のダイヤル履歴を取得する。ステップｍ１７では、過去にダイヤルした相手の分析結果に基づき電話番号の候補を推定する。ステップｍ１８では、最適化したメニュー（画面オブジェクト）を返却する。
【０２２９】
default:
図７２を参照して、ステップｍ１９では、何もしない。
【０２３０】
case 日常逸脱検知：
ステップｍ４１では、仮想デバイスの状態を取得する。ステップｍ２では、特定時間内に実行されたアクションの履歴を取得する。ステップｍ３では、取得した情報を分析し日常行動からの逸脱度合いを計算する。
ステップｍ４では、switch（逸脱度合い）
【０２３１】
case 高い：
ステップｍ５１では、見守りプロセスに対して「異常事態」を返却する。
【０２３２】
default:
ステップｍ５２では、見守りプロセスに対して「異常なし」を返却する。
【０２３３】
図７３は、環境制御装置２によって実行される見守り機能プロセスの処理フローを示す図である。ステップｎ０では、見守りプロセスの処理フローを開始する。ステップｎ１では、定期的にエキスパートシステムに問合せ日常行動からの逸脱を監視する。
【０２３４】
for（３０分おきに）
ステップｎ２では、エキスパートシステムに日常行動からの逸脱がないかを問合せる。
ステップｎ３では、switch（エキスパートシステムからの回答）
【０２３５】
case 逸脱あり：
ステップｎ４では、リマインダに文字メモを登録する。ステップｎ５では、文字メモにアクションを設定する。ステップｎ６では、文字メモにアクションを追加する。ステップｎ７では、リマインダから渡されたイベントＩＤを使って見守りイベントを発生させる。
【０２３６】
case 異常なし：
ステップｎ８では、何もしない。
【０２３７】
図７４は、環境制御装置２によって実行される実デバイスの処理フローの動作を説明するための図である。ステップｐ０では、実デバイス・プロセスの処理フローを開始する。ステップｐ１では、ＥＣＳプロセスからの要求に応じて実デバイスの制御を行うとともに、ハードウェア割込みに対応したイベントを発生させる。
【０２３８】
for（ＥＣＳプロセスからの要求およびハードウェア割込みを待つ）
ステップｐ２では、switch（機能種別）
【０２３９】
case ハードウェア割込みのハンドリング：
ステップｐ３では、sw itch（ハードウェア割込みの種類）
【０２４０】
case 電話着信：
ステップｐ４では、電話着信イベントを発生させる。
【０２４１】
case 電話切断：
ステップｐ５では、電話切断イベントを発生させる。
【０２４２】
case インターホン呼鈴：
ステップｐ６では、インターホン呼鈴イベントを発生させる。
【０２４３】
case インターホン切断：
ステップｐ７では、インターホン切断イベントを発生させる。
【０２４４】
case ハードウェアの制御：
ステップｐ８では、switch（要求の種類）
【０２４５】
case 電話を架ける：
ステップｐ９では、ＴＡＰＩモデムを使って電話を架ける。ステップｐ１０では、通話を接続する。
【０２４６】
case 電話を切る：
ステップｐ１１では、ＴＡＰＩモデムを使って電話を切る。
【０２４７】
case インターホンをつなぐ：
ステップｐ１２では、ＴＡＰＩモデムを使ってインターホンをつなぐ。
【０２４８】
case インターホンを切る：
ステップｐ１３では、ＴＡＰＩモデムを使ってインターホンを切る。
【０２４９】
case 玄関ドアを施錠する：
ステップｐ１４では、ＴＡＰＩモデムを使ってインターホンに電話をかける。
ステップｐ１５では、玄関ドアを施錠する。ステップｐ１６では、インターホンを切る。
【０２５０】
case 玄関ドアを解錠する：
ステップｐ１７では、ＴＡＰＩモデムを使ってインターホンに電話を架ける。
ステップｐ１８では、玄関ドアを解錠する。ステップｐ１９では、インターホンを切る。
【０２５１】
case テレビのリモコン操作：
ステップｐ２０では、赤外線リモコンを使ってテレビを操作する。ステップｐ２１では、操作内容に応じて仮想テレビの状態を更新する。
【０２５２】
case 仮想デバイス操作：
ステップｐ２２では、コマンドに応じて仮想デバイスの状態を更新する。
【０２５３】
本発明では、上述の説明では、仮想デバイスに関連して本発明の実施の形態が説明されたけれども、本発明の実施の他の形態では、実際の電気機器である実デバイスが運転制御されるように構成されてもよいのは勿論である。
【０２５４】
環境制御装置２では、被支援者の操作性を向上するために、表示手段６では、電子機器の特性に対応して、たとえばその電子機器がオンの動作中であるならば、表示手段６では、その電子機器が次にオフになるためのオフのための操作のための表示を行うようにする。さらに環境制御装置２では、被支援者の個人のデータベースに基づき、その被支援者の生活パターンから、たとえば夜７時頃には、テレビジョン受信機４ｆをオンにする動作を行い、たとえば２チャネルのテレビジョン放送を聴取するというデータが、学習によってストアされる。したがってこのような被支援者のデータベースが作成されるようにして、夜７時頃になれば、テレビジョン受信機４ｆの選択スイッチの表示を優先順位が高い位置にもたらし、さらにその時刻において聴取される放送局のチャネルを優先順位が高い位置にもたらす。これによって操作性の向上を図ることができる。さらに被支援者のデータベースとして、日常の逸脱行為のほかに、その動作の異常を検出するように、データベースを利用することもまた可能である。このように本発明によれば、環境制御装置２における学習機能によって、被支援者が、今、何をしたいかを素早く演算して求め、その操作の可能性が高い選択入力部を、表示装置６によって高い優先順位で表示し、これによって被支援者は、遠隔制御手段８，９またはスピーカ／マイクロホン１１を用いて入力操作し易くすることを可能にする。特に本発明では、電子機器の動作状態、被支援者が存在する部屋の温度などの環境状態、１日、１週間および１年間などの計時する時計手段の時刻データなどに基づき、学習によって得られたデータから、被支援者が希望する高い優先順位の操作を推論して演算し、求める。さらに現在の状況と被支援者の入力操作とから、前述の推論した入力操作と大きく乖離を推論することもまた可能である。被支援者が操作する動作を高い優先順位で推論するには、電子機器の状態、部屋の温度などの環境状態、時計手段およびさらには被支援者の体温などの状況に基づいて求めるようにしてもよい。
【０２５５】
さらに本発明では、このような各種の状況の推論結果に基づき、たとえば空気調和装置によって被支援者が存在する部屋の温度が高い温度に到達しているにもかかわらず、被支援者が部屋の温度をさらに高くするように入力操作を行ったことを検出し、これによって被支援者が異常状態であることを判断するように構成することもまた、可能である。
【０２５６】
このような被支援者のための操作によるコマンドの推定と、こうして推定されたコマンドと、被支援者によって実際に入力操作された入力情報との類似度を演算して求め、こうして被支援者の異常状態が生じたかどうさかを判断することができる。さらにこれらの被支援者のコマンド入力の学習を行う。これらのコマンド推定、類似度の演算およびコマンド学習を以下に説明する。先ず、コマンド推定を説明する。
【０２５７】
（Ｓ１）コマンドを推定すべき［日付、曜日、時刻］が与えられたとき、記憶されているコマンド事例について、（Ｔ１）〜（Ｔ３）に後述する事例信頼度と曜日類似度および時刻類似度を（Ｇ２）に後述する方法で合算し、その計算値をもってコマンド類似度とする。
【０２５８】
（Ｓ２）コマンド類似度の大きいものから事前に設定された個数のコマンドを提示する、あるいは、事前に設定された類似度の閾値を超えたコマンドを提示する、あるいはこの組合せ（両条件の論理積あるいは論理和）でコマンドを選択するなどの方法により、コマンドを推定する。
【０２５９】
（Ｓ３）（Ｓ２）において、（Ｔ４）に後述するようなコマンド階層情報を用いて、ある親コマンドの子コマンドがすべて（あるいは事前に設定した出現割合以上）（Ｓ２）のコマンド推定結果に現れるときには、複数の子コマンドに変わって親コマンドで代表することにより、類似かつ選択の曖昧性（揺らぎ）のあるコマンドを総括し、同じ推定候補数の中で、候補のバリエーション（異なった傾向＝異なったコマンド階層の異なったコマンドが出現する傾向）と推定の精度（推定すべきコマンドが候補の上位に含まれる傾向）の両立を図ることができる。
【０２６０】
図７５は、環境制御装置２おいて実行されるコマンドの階層情報を示す図である。コマンドの詳細さと上位・下位概念を、階層構造で定義される。
【０２６１】
（Ｓ４）（Ｓ３）で親コマンドで子コマンドを代表するだけでなく孫コマンドを（２世代に溯って）代表させることも同様に可能であるが、推定の精度が低下する（抽象度のズレが大きくなる）ので、このバランス（どの世代まで代表されるか）は（Ｔ４）で定義する階層の世代間ギャップの大きさに応じて適切に設定する。
【０２６２】
次に、類似度の定義を説明する。完全一致のとき１．０、完全不一致のとき０．０となる類似度尺度で説明する。
【０２６３】
（Ｔ１）事例信頼性：コマンド事例の登録後の時間経過に応じて信頼度を定義する。信頼度は過去に登録されたものほど低下する。たとえば、１カ月以内に登録されたものは１．０、３カ月以内は０．８、６カ月以内は０．５、１年以内は０．２、それ以上は０．０あるいは０．１などとし、これらの設定点以外の時間経過における信頼度は、ステップ状あるいは（Ｇ３）で後述するニューラルネットなどを用いた任意の連続関数で補完するように定義することができる。
【０２６４】
（Ｔ２）曜日類似度：曜日の差異による類似度を定義する。たとえば同じ曜日は１．０、違う曜日でも週末／週日の区別が同じものは０．７、それ以外は０．３などとする。利用者の生活パターンに応じた曜日区分（たとえば月・水・金は午後から用事の日とか、日曜と水曜が休業日とか）が設定された場合には、同じ曜日区分に属するものに個別の類似度を定義することもできる。区分毎の類似度の配分係数は（Ｇ３）で後述するニューラルネットなどを用いた任意の非線形結合関数で定義することができる。
【０２６５】
（Ｔ３）時刻類似度：時刻の差異による類似度を定義する。たとえば、５分以内は１．０、１５分以内は０．８、３０分以内は０．６、１時間以内は０．５、半日以内は０．３、それ以上は０．１などとし、これらの設定点以外の時間差による類似度は、（Ｔ１）と同じくステップ状あるいは任意の連続関数で補完できる。
【０２６６】
（Ｔ４）コマンド階層情報：コマンドの詳細さと上位・下位概念を階層構造が図７５に示したような構造で定義されている。たとえば、個別のチャネル設定コマンドが（Ｓ２）の結果に多く含まれ、一覧できる程度の候補リストがチャネル選択コマンドで埋められているような場合でも、これらに代わって、その上位にあたるチャネル設定コマンドを代表の推定結果とすることにより、チャネル設定コマンド以外のコマンド（たとえばエアコン停止コマンドなど）を一覧できる程度の候補リストの中に収めることが可能となる。
【０２６７】
コマンド学習を説明する。
（Ｇ１）コマンドの実行が行われたときには、その［日付、曜日、時刻、コマンド］のリストを記憶しておくことによりコマンド事例とする。
【０２６８】
（Ｇ２）合算の方法としては、各程度の乗算（類似度の定義を、完全一致が１．０、完全異質が０．０とするとき、すべてが完全一致＝１．０なら総計＝乗算も１．０となる）や加算（類似度の定義を、完全一致を０．０、差異が大きくなるほど類似度が無限に大きくなるような定義の場合。すべてが完全一致＝０．０なら総計＝加算も０．０となる）などの簡易な方法でもよいが、これらの複数の類似度を入力としてコマンド類似度を出力とする複数入力の非線形関数を、たとえば乗算のロジックに代わってニュートラルネットワークを用いて実装すれば、蓄積されているコマンド事例（および利用に従って追加される事例）に基づき学習させることも可能となる。
【０２６９】
（Ｇ３）（Ｇ２）で述べた合算の方法（異なる尺度の統合方法）の学習と並行して、あるいはその収束後、（Ｔ１）〜（Ｔ３）で述べた日時差、曜日差および時刻差から類似度を計算する非線形関数を、たとえばニュートラルネットを用いて実装・学習させることができる。
【０２７０】
本発明は、次の実施の形態が可能である。
（１）複数の各電子機器に、複数種類の各動作を行わせる適応的操作支援装置において、複数種類の操作態様で、操作される操作手段と、操作手段の出力に応答し、選択的に操作可能な各電子機器および各動作を表す信号を出力し、選択された各電子機器および各動作を表す信号を出力する環境制御手段と、環境制御手段の出力に応答し、選択的に操作可能な各電子機器および各動作を表示するとともに、選択された各電子機器および各動作を表示する表示手段と、環境制御手段の出力に応答し、選択された電子機器に、選択された種類の動作を行わせる動作制御手段とを含むことを特徴する適応的操作支援装置。
操作手段は、１または複数の操作回数によって、各電子機器とその電子機器の動作とを選択することを特徴する。
【０２７１】
（２）環境制御手段は、各電子機器の動作を検出し、操作手段の出力および検出した各電子機器の動作のいずれか少なくとも一方によって、電子機器とその動作の選択される可能性が高い順序で、各電子機器とその動作とを表示手段に表示させることを特徴とする。
【０２７２】
（３）環境制御手段は、時計手段を有し、操作手段の出力と、時計手段の出力とによって、電子機器とその動作の選択される可能性が高い順序で、各電子機器とその動作とを表示手段に表示させることを特徴とする。
【０２７３】
本発明に従えば、時計手段を備え、１日内の朝、午前、昼、午後、夕方、夜、就寝後の時間などの時刻または時間帯に従って、前記順序を設定し、こうして日常動作に従い、操作性の向上を図ることが可能になる。このような日常動作は、操作手段の出力によって、または環境制御手段の動作によって学習してメモリにストアしておくことができる。
【０２７４】
（３）被支援者の身体に関する環境状態を検出する環境状態検出手段をさらに含み、環境制御手段は、環境状態検出手段の出力に応答し、環境が良好となるように選択される可能性が高い順序で、各電子機器とその動作とを表示手段に表示させることを特徴とする。
【０２７５】
本発明に従えば、環境状態検出手段によって、被支援者の身体に関する環境状態、たとえば部屋内の温度、ベッド内の暖房器具の温度などを検出し、被支援者にとってその検出された温度が低いときには、環境が良好となるように、すなわち温度が身体に適切となるように上昇されるように、選択される可能性が高い順序で、表示手段に、各電子機器、たとえば空気調和装置または暖房器具などと、その昇温動作などの動作とを優先順位を高くして表示する。これによって操作性がさらに向上され、環境順応機能が高められる。
【０２７６】
（４）被支援者の身体に関する環境状態を検出する環境状態検出手段をさらに含み、環境制御手段は、時計手段を有し、操作手段の出力と、環境状態検出手段の出力と、時計手段の出力とによって、電子機器とその動作の選択される可能性が高い順序で、各電子機器とその動作とを表示手段に表示させることを特徴とする。
【０２７７】
さらに本発明に従えば、被支援者がたとえば障害者であって、介護者であるヘルパが訪問する日時などに応じ、そのヘルパによって介護される部屋内の環境を、最適に保つための状態を選ぶことを容易に可能にする。たとえば介護者の訪問時、被支援者の部屋内の温度を高めておき、入浴を快適に行わせるように部屋の環境を予め準備しておくことが可能である。
【０２７８】
（５）環境制御手段は、時計手段を有し、操作手段の操作による各電子機器およびその動作の選択される頻度を、時間経過に伴って学習し、この学習結果に基づき、前記順序を定めることを特徴とする。
【０２７９】
（６）１日、週、月または季節毎の時間経過に伴う行動パターンを学習して被支援者の日常行動のデータベースを作成する手段と、データベース作成手段の出力に応答し、被支援者の日常行動のデータベースからの逸脱度合いを監視し、その逸脱度合いが大きい場合、異常が発生したものと判断する異常判断手段と、異常判断手段の出力に応答し、異常発生時に、報知を行う報知手段とを含むことを特徴とする。
【０２８０】
本発明に従えば、被支援者の日常行動パターンを、時間経過に伴い、たとえば朝、午前、昼、午後、夕方、夜、就寝後などの時刻、時間帯で行動パターンを学習し、操作手段の操作によって動作される電子機器とその動作の種類との頻度を加味した日常行動パターンのデータベースを、作成し、この学習結果に基づいて前記順序を定める。これによって操作性の向上をさらに図ることができる。
【０２８１】
また本発明に従えば、日常行動パターンのデータベースからの被支援者の逸脱の度合いを監視し、逸脱度合いが大きいと異常と判断し、異常判断手段の出力を報知手段によって報知する。報知手段は、たとえば公衆電話回線を介して介護者に信号が伝送され、介護者に、被支援者が介護を必要としていることを、音響、目視などによって表示するように構成される。こうして被支援者の日常逸脱の監視を行うことができる。
【０２８２】
（７）被支援者の生活上必須の機能を監視し、異常発生時に報知手段によって報知を行わせる手段をさらに含むことを特徴とする。
【０２８３】
本発明に従えば、被支援者が便所に行く１日内の回数、便所に行くたびごとの時間間隔、水道水を使う回数およびその水道水を使う時間間隔、さらに風呂に入っている時間の長短などを監視し、被支援者の異常発生の報知を容易に可能にする。このようにして被支援者の必須機能の監視を行うことによって、被支援者の安全が図られ、見守り機能が達成される。
【０２８４】
（８）環境状態検出手段の出力に応答し、環境を変化する電子機器の省エネルギとなるための操作手段による操作を、表示手段によって表示することを特徴とする。
【０２８５】
本発明に従えば、環境を変化する電子機器、たとえば空気調和装置または暖房機器などの省エネルギとなるための操作手段による操作を、表示手段によって順位を高めて表示する。こうしてエアコンと呼ばれる空気調和装置の設定装置の設定温度と室温とを監視することによって、被支援者である利用者の快適性を損なわない範囲で、電力消費量を低減し、省エネルギ効果を達成することができる。そのような省エネルギ効果が達成できるような設定温度の設定を、表示手段によって高順位で表示する。
【０２８６】
また電子機器特性に基づき、長時間つけっ放しで電源投入の状態になっている可能性のある機器の電源遮断を行わせるように、表示手段によって高い順位で表示を行わせる。このことによってもまた良好な操作性で省エネルギ効果を達成することができる。
【０２８７】
（９）無停電電源をさらに含み、商用交流電源を停電時に、少なくとも予め定める電子機器に供給することを特徴とする。
【０２８８】
本発明に従えば、無停電電源を用いることによって、被支援者の生活に必要な少なくとも予め定める電子機器、たとえば空気調和装置などまたは電動機によって動作するエアベッドなどに電力を供給し、停電によってこれらの電子機器が休止してしまわないようにし、被支援者の安全を図ることができる。
【０２８９】
（１０）複数の各電子機器に、複数種類の各動作を行わせる適応的操作支援装置において、複数種類の各動作を模擬的行う模擬電子機器と、複数種類の操作態様で、操作される操作手段と、操作手段の出力に応答し、選択的に操作可能な各電子機器および各動作ならびに模擬電子機器および模擬動作を表す信号を出力し、選択された各電子機器および各動作を表す信号を出力する環境制御手段と、環境制御手段の出力に応答し、選択的に操作可能な各電子機器および各動作ならびに模擬電子機器および模擬動作を表示するとともに、選択された各電子機器および各動作ならびに模擬電子機器および模擬動作を表示する表示手段と、環境制御手段の出力に応答し、選択された電子機器に、選択された種類の動作を行わせるとともに、選択された模擬電子機器に、選択された種類の模擬動作を行わせる動作制御手段とを含むことを特徴する適応的操作支援装置。
【０２９０】
（１１）複数種類の各動作を模擬的に行う模擬電子機器と、複数種類の操作態様で、操作される操作手段と、操作手段の出力に応答し、選択的に操作可能な模擬電子機器および各模擬動作を表す信号を出力し、選択された各電子機器および各動作を表す信号を出力する環境制御手段と、環境制御手段の出力に応答し、選択的に操作可能な模擬電子機器および各模擬動作を表示するとともに、選択された模擬電子機器および各模擬動作を表示する表示手段と、環境制御手段の出力に応答し、選択された模擬電子機器に、選択された種類の模擬動作を行わせる動作制御手段とを含むことを特徴する適応的操作支援装置。
【０２９１】
本発明に従えば、電子機器だけでなく、模擬電子機器を仮想上設けることができる。これによって模擬電子機器の模擬運転を行うことができる。たとえば空気調和装置を、被支援者が購入したいと思ったとき、操作手段を操作し、表示手段にどのような表示が行われて空気調和装置が運転されるかを、試験運転してみることができ、これによって被支援者の購入の動機を与えることができる。
【発明の効果】
【０２９２】
本発明によれば、障害者などの被支援者による電子機器とその動作との選択の操作性を向上することが可能になる。
【０２９３】
本発明によれば、コスト低減が図られる。障害者であっても、健常者と同じ電子機器である製品（情報家電）を使うことが可能となることにより、機器選択の自由度が向上するとともにコストも低減される。また設定の容易化が図られる。電子機器の検知に関して、電力線や無線による情報家電の接続技術により、コンセントに繋いだりリセットボタンを押すだけで、機器が簡単にＥＣＳに検知されるような枠組みを提供して、電子機器のいわゆるプラグアンドプレイ（Plug and Play）が可能になる。さらに操作法の変更に関して、検知された電子機器の操作可能な機能は、ＥＣＳの画面から全て操作可能であるとともに、その操作方法を利用者自らが簡単に設定・変更できる方法を提供する。これにより、これまで電子機器の接続や設定変更を業者や支援者に頼っていたＥＣＳ利用者の自立性が大幅に向上する。本発明の考え方に従えば、ソフトウェアによって動作を記述できる機器（パソコンのようなもの）を中核とし、ＵＰＳ（無停電電源装置）を組合せ、かつ情報家電と情報のやり取りができるインターフェースを備えた装置において、ソフトウェア技術により、環境制御装置機能、見守り機能、省エネルギ機能、停電関連機能、設置工事容易化、設定容易化を実現することができる。
【図面の簡単な説明】
【図１】本発明の実施の一形態の全体の構成を示すブロック図である。
【図２】図１に示される本発明の実施の一形態の全体の構成を簡略化して示す図である。
【図３】図１および図２に示される本発明の実施の一形態の全体の構成を簡略化して示すブロック図である。
【図４】本発明の実施の一形態におけるハイパリモコン７１の具体的な形状を示す図である。
【図５】ハイパリモコン７１と環境制御装置２との通信を行うための情報伝達経路を示す図である。
【図６】ハイパリモコン７１と呼気スイッチ１などを含む固定式スイッチとが環境制御装置２に電気的に接続される構成を示すブロック図である。
【図７】図６に示されるブロック図の一部を示す図である。
【図８】環境制御装置２の具体的な動作を示す図である。
【図９】環境制御装置２の全体制御プロセスのフローによる動作を示す図である。
【図１０】本発明の図１〜図９に示される実施の形態における操作シナリオを示す図である。
【図１１】本発明の図１〜図９に示される実施の形態における操作シナリオを示す図である。
【図１２】本発明の図１〜図９に示される実施の形態における操作シナリオを示す図である。
【図１３】本発明の図１〜図９に示される実施の形態における操作シナリオを示す図である。
【図１４】本発明の図１〜図９に示される実施の形態における操作シナリオを示す図である。
【図１５】環境制御装置２によって達成される対話処理メニューの動作を説明するための階層構造を示す図である。
【図１６】携帯電話７１ａの表示手段７３によって表示される対話処理メニューの動作を説明するための階層構造を示す図である。
【図１７】携帯電話７１ａを含むハイパリモコン７１の環境制御装置２による動作を説明するフローチャートである。
【図１８】表示手段６の昼間用および夜間用のトップメニューの画像を示す図である。
【図１９】昼間用および夜間用の表示状態を示す携帯電話７１ａの正面図である。
【図２０】表示手段６の「テレビ操作」メニューの画像を示す図である。
【図２１】表示手段６の「テレビ操作」メニューの画像を示す携帯電話７１ａの正面図である。
【図２２】表示手段６の「チャンネル切替え」メニューを示す画像である。
【図２３】「チャンネル切替え」メニューを示す携帯電話７１ａの正面図である。
【図２４】「チャンネル切替え」メニューの操作時の状態を示す携帯電話７１ａの正面図である。
【図２５】携帯電話７１ａの操作による環境制御装置２の動作を説明するためのフローチャートである。
【図２６】環境制御装置２のチャンネル切替え、すなわちチャンネル変更のメニューの構成と動作を説明するためのフローチャートである。
【図２７】表示手段６の電話着信イベント対応メニューの画像を示す図である。
【図２８】電話着信イベント対応メニューの状態を示す携帯電話７１ａの正面図である。
【図２９】表示手段６の操作介入イベント（電話中）対応メニューの画像を示す図である。
【図３０】電話介入イベント（電話中）対応メニューの状態を示す携帯電話７１ａの正面図である。
【図３１】表示手段６の電話切断イベント対応メニューの画像を示す図である。
【図３２】電話切断イベント対応メニューの状態を示す携帯電話７１ａの正面図である。
【図３３】表示手段６の操作介入イベント（ＴＶ視聴中）対応メニューの画像を示す図である。
【図３４】操作介入イベント（ＴＶ視聴中）対応メニューの状態を示す携帯電話７１ａの正面図である。
【図３５】表示手段６の空気調和装置による温度警告イベント対応メニューの画像を示す図である。
【図３６】空気調和操作による温度警告イベント対応メニューの状態を示す携帯電話７１ａの正面図である。
【図３７】表示手段６の空気調和装置である「エアコン操作」メニューの画像を示す図である。
【図３８】エアコン操作メニューの状態を示す携帯電話７１ａの正面図である。
【図３９】表示手段６のインターホン呼鈴イベント対応メニューの画像を示す図である。
【図４０】インターホン呼鈴イベント対応メニューの状態を示す携帯電話７１ａの正面図である。
【図４１】表示手段６の「インターホン操作」メニューの画像を示す図である。
【図４２】「インターホン操作」メニューの状態を示す携帯電話７１ａの正面図である。
【図４３】表示手段６の操作介入インターホン（インターホン通話中）対応メニューの画像を示す図である。
【図４４】操作介入インターホン（インターホン通話中）対応メニューの状態を示す携帯電話７１ａの正面図である。
【図４５】表示手段６の停電イベント対応メニューの画像を示す図である。
【図４６】停電イベント対応メニューの状態を示す携帯電話７１ａの正面図である。
【図４７】表示手段６の非常通報イベント対応メニューの画像を示す図である。
【図４８】非常通報イベント対応メニューの状態を示す携帯電話７１ａの正面図である。
【図４９】表示手段６の停電イベント対応メニューの画像を示す図である。
【図５０】停電イベント対応メニューの状態を示す携帯電話７１ａの正面図である。
【図５１】表示手段６の「照明操作」メニューの画像を示す図である。
【図５２】「照明操作」メニューの状態を示す携帯電話７１ａの正面図である。
【図５３】表示手段６の「電動ベッド」操作メニューの画像を示す図である。
【図５４】「電動ベッド」操作メニューの状態を示す携帯電話７１ａの正面図である。
【図５５】表示手段６の「リマインダ操作」メニューの画像を示す図である。
【図５６】「リマインダ操作」メニューの状態を示す携帯電話７１ａの正面図である。
【図５７】表示手段６のＣＤ（コンパクトディスク）ラジカセ（ラジオカセットテープレコーダ）の操作の基本メニューを示す図である。
【図５８】ＣＤラジカセ操作の基本メニューの状態を示す携帯電話７１ａの正面図である。
【図５９】環境制御装置２の対話処理フローの動作を説明するための図である。
【図６０】環境制御装置２の対話処理フローの動作を説明するための図である。
【図６１】環境制御装置２の対話処理フローの動作を説明するための図である。
【図６２】環境制御装置２の対話処理フローの動作を説明するための図である。
【図６３】環境制御装置２の対話処理フローの動作を説明するための図である。
【図６４】環境制御装置２の対話処理フローの動作を説明するための図である。
【図６５】環境制御装置２の対話処理フローの動作を説明するための図である。
【図６６】環境制御装置２の対話処理フローの動作を説明するための図である。
【図６７】環境制御装置２のイベント処理ループを示す図である。
【図６８】環境制御装置２のイベント処理ループを示す図である。
【図６９】環境制御装置２のイベント処理ループを示す図である。
【図７０】環境制御装置２のイベント処理ループを示す図である。
【図７１】環境制御装置２のエキスパートシステム２２によって達成されるエキスパートシステムプロセスの処理フローを示す図である。
【図７２】環境制御装置２のエキスパートシステム２２によって達成されるエキスパートシステムプロセスの処理フローを示す図である。
【図７３】環境制御装置２によって実行される見守り機能プロセスの処理フローを示す図である。
【図７４】環境制御装置２によって実行される実デバイスの処理フローの動作を説明するための図である。
【図７５】コマンドの階層情報の構造を示す図である。
【符号の説明】
１  呼気スイッチ
２  環境制御装置
３  電力線搬送手段
４  電子機器
５  表示装置
６  表示手段
７  コントローラ
８，９  遠隔制御手段
１１  スピーカ・マイクロホン
１２  シミュレータ用処理手段
１３  アナログ電話回線
１４  モデム
１５  デジタル公衆電話回線
１６  テレビドアホンシステム
２１  ユーザインターフェース
２２  エキスパートシステム
２３  デバイス監視制御システム
７１  ハイパリモコン
７１ａ  ｉモード対応携帯電話装置
７１ｂ  ブラウザホン（ＰＨＳ）
７１ｃ  ＰＤＡ（情報端末装置）
７２  通信手段
７３  表示手段
７９  操作手段
８６  インタネット
１１３，１２１  置数キー
１１６  操作手段
１１７  動作名
１１８  キャラクタ
１２２  上シフトキー
１２３  下シフトキー
１２４  決定ボタン
１２５  操作部
【図１】
0003803045.tif 000012
【図２】
0003803045.tif 000013
【図３】
0003803045.tif 000014
【図４】
0003803045.tif 000015
【図５】
0003803045.tif 000016
【図６】
0003803045.tif 000017
【図７】
0003803045.tif 000018
【図８】
0003803045.tif 000019
【図９】
0003803045.tif 000020
【図１０】
0003803045.tif 000021
【図１１】
0003803045.tif 000022
【図１２】
0003803045.tif 000023
【図１３】
0003803045.tif 000024
【図１４】
0003803045.tif 000025
【図１５】
0003803045.tif 000026
【図１６】
0003803045.tif 000027
【図１７】
0003803045.tif 000028
【図１８】
0003803045.tif 000029
【図１９】
0003803045.tif 000030
【図２０】
0003803045.tif 000031
【図２１】
0003803045.tif 000032
【図２２】
0003803045.tif 000033
【図２３】
0003803045.tif 000034
【図２４】
0003803045.tif 000035
【図２５】
0003803045.tif 000036
【図２６】
0003803045.tif 000037
【図２７】
0003803045.tif 000038
【図２８】
0003803045.tif 000039
【図２９】
0003803045.tif 000040
【図３０】
0003803045.tif 000041
【図３１】
0003803045.tif 000042
【図３２】
0003803045.tif 000043
【図３３】
0003803045.tif 000044
【図３４】
0003803045.tif 000045
【図３５】
0003803045.tif 000046
【図３６】
0003803045.tif 000047
【図３７】
0003803045.tif 000048
【図３８】
0003803045.tif 000049
【図３９】
0003803045.tif 000050
【図４０】
0003803045.tif 000051
【図４１】
0003803045.tif 000052
【図４２】
0003803045.tif 000053
【図４３】
0003803045.tif 000054
【図４４】
0003803045.tif 000055
【図４５】
0003803045.tif 000056
【図４６】
0003803045.tif 000057
【図４７】
0003803045.tif 000058
【図４８】
0003803045.tif 000059
【図４９】
0003803045.tif 000060
【図５０】
0003803045.tif 000061
【図５１】
0003803045.tif 000062
【図５２】
0003803045.tif 000063
【図５３】
0003803045.tif 000064
【図５４】
0003803045.tif 000065
【図５５】
0003803045.tif 000066
【図５６】
0003803045.tif 000067
【図５７】
0003803045.tif 000068
【図５８】
0003803045.tif 000069
【図５９】
0003803045.tif 000070
【図６０】
0003803045.tif 000071
【図６１】
0003803045.tif 000072
【図６２】
0003803045.tif 000073
【図６３】
0003803045.tif 000074
【図６４】
0003803045.tif 000075
【図６５】
0003803045.tif 000076
【図６６】
0003803045.tif 000077
【図６７】
0003803045.tif 000078
【図６８】
0003803045.tif 000079
【図６９】
0003803045.tif 000080
【図７０】
0003803045.tif 000081
【図７１】
0003803045.tif 000082
【図７２】
0003803045.tif 000083
【図７３】
0003803045.tif 000084
【図７４】
0003803045.tif 000085
【図７５】
0003803045.tif 000086